(57)【要約】  基地局装置（１）と端末装置（２）が通信する通信システムにおいて、基地局装置（１）と端末装置（２）が効率的に送信電力制御を行なうことができる端末装置、方法および集積回路を提供する。基地局装置と通信を行なう端末装置であって、第１の設定に関する情報が設定され、第２の設定に関する情報が設定されない場合、第１の上りリンク電力制御に基づいて上りリンク信号を送信し、前記第１の設定に関する情報および前記第２の設定に関する情報の両方が設定される場合、第２の上りリンク電力制御に基づいて上りリンク信号を送信する送信部と、を備える。
2014163050.tif 000002
【特許請求の範囲】
【請求項１】
基地局装置と通信を行なう端末装置であって、
第１の設定に関する情報および／または第２の設定に関する情報を受信する受信部と、
前記第１の設定に関する情報が設定され、前記第２の設定に関する情報が設定されない場合、第１の上りリンク電力制御に基づいて上りリンク信号を送信し、
前記第１の設定に関する情報および前記第２の設定に関する情報の両方が設定される場合、第２の上りリンク電力制御に基づいて上りリンク信号を送信する送信部と、を備え、
前記第１の設定に関する情報は、上りリンク信号を送信するサブフレーム（上りリンクサブフレーム）および下りリンク信号を受信するサブフレーム（下りリンクサブフレーム）の構成（TDD UL/DL configuration）を指示する情報であり、
前記第２の設定に関する情報は、ビットマップの構成を指示する情報である
ことを特徴とする端末装置。
【請求項２】
基地局装置と通信を行なう端末装置の通信方法であって、
第１の設定に関する情報および／または第２の設定に関する情報を受信し、
前記第１の設定に関する情報が設定され、前記第２の設定に関する情報が設定されない場合、第１の上りリンク電力制御に基づいて上りリンク信号を送信し、
前記第１の設定に関する情報および前記第２の設定に関する情報の両方が設定される場合、第２の上りリンク電力制御に基づいて上りリンク信号を送信し、
前記第１の設定に関する情報は、上りリンク信号を送信するサブフレーム（上りリンクサブフレーム）および下りリンク信号を受信するサブフレーム（下りリンクサブフレーム）の構成（TDD UL/DL configuration）を指示する情報であり、
前記第２の設定に関する情報は、ビットマップの構成を指示する情報である
ことを特徴とする通信方法。
【請求項３】
基地局装置と通信を行なう端末装置に搭載される集積回路であって、
第１の設定に関する情報および／または第２の設定に関する情報を受信する機能と、
前記第１の設定に関する情報が設定され、前記第２の設定に関する情報が設定されない場合、第１の上りリンク電力制御に基づいて上りリンク信号を送信する機能と、
前記第１の設定に関する情報および前記第２の設定に関する情報の両方が設定される場合、第２の上りリンク電力制御に基づいて上りリンク信号を送信する機能と、を前記端末装置に発揮させ、
前記第１の設定に関する情報は、上りリンク信号を送信するサブフレーム（上りリンクサブフレーム）および下りリンク信号を受信するサブフレーム（下りリンクサブフレーム）の構成（TDD UL/DL configuration）を指示する情報であり、
前記第２の設定に関する情報は、ビットマップの構成を指示する情報である
ことを特徴とする集積回路。
【発明の詳細な説明】
【技術分野】
【０００１】
本発明は、端末装置、通信方法および集積回路に関する。
【背景技術】
【０００２】
３ＧＰＰ（Third GenerationPartnership Project）によるＷＣＤＭＡ（登録商標）（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような通信システムでは、基地局装置（セル、第１の通信装置（端末装置とは異なる通信装置）、eNodeB）および端末装置（移動端末、移動局装置、第２の通信装置（基地局装置とは異なる通信装置）、ＵＥ（User Equipment））は、複数の送受信アンテナをそれぞれ備え、ＭＩＭＯ（MultiInput Multi Output）技術を用いることにより、データ信号を空間多重し、高速なデータ通信を実現する。【０００３】
その通信システムで、基地局装置と端末装置とのデータ通信を実現するためには、基地局装置は端末装置に対して様々な制御を行うことが必要である。そのため、基地局装置は、端末装置に対して、所定のリソースを用いて、制御情報を通知することにより、下りリンクおよび上りリンクにおけるデータ通信を行う。例えば、基地局装置は、端末装置に対して、リソースの割り当て情報、データ信号の変調および符号化情報、データ信号の空間多重数情報、送信電力制御情報等を通知することにより、データ通信を実現する。【０００４】
その通信システムは、時分割複信（TDD: TimeDivision Duplex）に対応している。ＴＤＤ方式を採用したＬＴＥをＴＤ−ＬＴＥまたはＬＴＥ  ＴＤＤとも呼称する。ＴＤＤは、上りリンク信号と下りリンク信号を時分割多重することによって、単一の周波数帯域（キャリア周波数、コンポーネントキャリア）において下りリンクと上りリンクの通信を可能にする技術である。ＬＴＥでは、予め設定することで、サブフレーム単位で下りリンクと上りリンクを切り替えることができる。なお、ＴＤＤでは、下りリンク送信が可能なサブフレーム（下りリンクサブフレーム）と上りリンク送信が可能なサブフレーム（上りリンクサブフレーム）、さらに、ガード期間（GP: Guard Period）を設けることにより、下りリンク送信と上りリンク送信を時間領域（シンボル領域）で切り替え可能なサブフレーム（スペシャルサブフレーム）が定義されている。なお、スペシャルサブフレームにおいて、下りリンク送信が可能な時間領域を下りリンクパイロットタイムスロット（DwPTS: DownlinkPilot Time Slot）と呼称し、上りリンク送信が可能な時間領域を上りリンクパイロットタイムスロット（UpPTS: UplinkPilot Time Slot）と呼称する。例えば、端末装置は、サブフレームｉが下りリンクサブフレームである場合、基地局装置から送信された下りリンク信号を受信することができ、サブフレームｉとは異なるサブフレームｊが上りリンクサブフレームである場合、端末装置から基地局装置へ上りリンク信号を送信することができる。また、サブフレームｉやサブフレームｊとは異なるサブフレームｋがスペシャルサブフレームである場合、下りリンクの時間領域ＤｗＰＴＳで下りリンク信号を受信することができ、上りリンクの時間領域ＵｐＰＴＳで上りリンク信号を送信することができる（非特許文献１）。また、ＬＴＥ、ＬＴＥ−ＡにおいてＴＤＤ方式を実現するための上りリンクと下りリンク比率およびスペシャルサブフレーム内のＤｗＰＴＳとＵｐＰＴＳの比率は、それぞれテーブルを用いて設定することができる。それらのテーブルは、特定の情報要素（ＴＤＤ  ＵＬ／ＤＬ設定（TDD UL/DL configuration(s), TDD uplink-downlink configuration(s)）、ＴＤＤ設定（TDD configuration(s), tdd-Config, TDD config）、ＵＬ／ＤＬ設定（uplink-downlinkconfiguration(s)））によって設定することができる。【０００５】
また、上りリンクのトラフィックと下りリンクのトラフィック（情報量、データ量、通信量）に応じて、上りリンクリソースと下りリンクリソースの比率を変更するトラフィック適応制御技術をＴＤ−ＬＴＥに適用することが検討されている。例えば、下りリンクサブフレームと上りリンクサブフレームの比率をダイナミックに変更することが検討されている。その方法として、下りリンクサブフレームおよび上りリンクサブフレームを適応的に切り替えるフレキシブルサブフレーム（flexible subframe）が検討されている（非特許文献２）。基地局装置は、フレキシブルサブフレームにおいて、上りリンク信号の受信または下りリンク信号の送信を行なうことができる。また、端末装置は、基地局装置によって、フレキシブルサブフレームにおいて上りリンク信号の送信を指示されない限り、該フレキシブルサブフレームを下りリンクサブフレームとみなして受信処理を行なうことができる。また、このような下りリンクサブフレームと上りリンクサブフレームの比率や上りリンクと下りリンクのサブフレーム、ＴＤＤ  ＵＬ／ＤＬ（再）設定をダイナミックに変更するＴＤＤをダイナミックＴＤＤ（DTDD: Dynamic TDD）と呼称する場合もある。【０００６】
その通信システムは、基地局装置がカバーするエリアをセル状に複数配置するセルラー通信システムである。また、単一の基地局装置は複数のセルを管理してもよい。また、単一の基地局装置は複数のＲＲＨ（Remote Radio Head）を管理してもよい。また、単一の基地局装置は複数のローカルエリアを管理してもよい。また、単一の基地局装置は複数のＨｅｔＮｅｔ（Heterogeneous Network）を管理してもよい。また、単一の基地局装置は複数の小電力基地局装置（LPN: Low Power Node）を管理してもよい。【０００７】
その通信システムにおいて、端末装置は、セル固有参照信号（CRS: Cell-specific Reference Signal(s)）に基づいて参照信号受信電力（RSRP: Reference Signal Received Power）を測定している（非特許文献３）。【０００８】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel, NDS: New Discovery Signal(s)）の導入が検討されている（非特許文献４）。なお、ニューキャリアタイプは、追加キャリアタイプ（ACT: Additional Carrier Type）と呼称する場合もある。また、ＮＣＴに対し、既存のキャリアタイプをレガシーキャリアタイプ（LCT: Legacy Carrier Type）と呼称する場合もある。
【先行技術文献】
【非特許文献】
【０００９】
【非特許文献１】3rd GenerationPartnership Project Technical Specification Group Radio Access Network; EvolvedUniversal Terrestrial Radio Access (E-UTRA); Physical Channels and Modulation(Release 8), TS36.211 v8.8.0 (2009-09).
【非特許文献２】"Onstandardization impact of TDD UL-DL adaptation", R1-122016, 3GPP TSG-RANWG1 Meeting #69, Prague, Czech Republic, 21st - 25th May 2012.
【非特許文献３】3rd GenerationPartnership Project Technical Specification Group Radio Access Network; EvolvedUniversal Terrestrial Radio Access (E-UTRA); Physical layer; Measurements(Release 10) 30th Mar 2011, TS36.214 v10.1.0 (2011-03).
【非特許文献４】"IssuesRegarding Additional Carrier Type in Rel-11 CA", R1-114071, 3GPP TSG-RANWG1 Meeting #67, San Francisco, USA, 14th - 18th Nov 2011.
【発明の概要】
【発明が解決しようとする課題】
【００１０】
しかしながら、種々の上りリンク物理チャネルの送信タイミングがそれぞれインプリシット（implicit）またはエクスプリシット（explicit）に設定される。ダイナミック時分割複信（DTDD: Dynamic Time Division Duplex）を行なう通信システムにおいて、上りリンクサブフレームと下りリンクサブフレームを切り替えることのできるサブフレームが設定される。そのため、そのようなサブフレームでは、基地局装置と端末装置それぞれから送信される信号は互いに干渉し、適切な通信が行なえないという問題が生じる。【００１１】
本発明は、上記問題を鑑みてなされたものであり、適切な送信電力制御および干渉制御が可能な端末装置、通信方法および集積回路を提供することを目的とする。
【課題を解決するための手段】
【００１２】
（１）この発明は上述した課題を解決するためになされたもので、本発明の一態様による端末装置は、基地局装置と通信を行う端末装置であって、第１の設定に関する情報および／または第２の設定に関する情報を受信する受信部と、前記第１の設定に関する情報が設定され、前記第２の設定に関する情報が設定されない場合、第１の上りリンク電力制御に基づいて上りリンク信号を送信し、前記第１の設定に関する情報および前記第２の設定に関する情報の両方が設定される場合、第２の上りリンク電力制御に基づいて上りリンク信号を送信する送信部と、を備え、前記第１の設定に関する情報は、上りリンク信号を送信するサブフレーム（上りリンクサブフレーム）および下りリンク信号を受信するサブフレーム（下りリンクサブフレーム）の構成（TDD UL/DL configuration）を指示する情報であり、前記第２の設定に関する情報は、ビットマップの構成を指示する情報であることを特徴とする。【００１３】
（２）また、本発明の一態様による方法は、基地局装置と通信を行なう端末装置の通信方法であって、第１の設定に関する情報および／または第２の設定に関する情報を受信し、前記第１の設定に関する情報が設定され、前記第２の設定に関する情報が設定されない場合、第１の上りリンク電力制御に基づいて上りリンク信号を送信し、前記第１の設定に関する情報および前記第２の設定に関する情報の両方が設定される場合、第２の上りリンク電力制御に基づいて上りリンク信号を送信し、前記第１の設定に関する情報は、上りリンク信号を送信するサブフレーム（上りリンクサブフレーム）および下りリンク信号を受信するサブフレーム（下りリンクサブフレーム）の構成（TDD UL/DL configuration）を指示する情報であり、前記第２の設定に関する情報は、ビットマップの構成を指示する情報であることを特徴とする。【００１４】
（３）また、本発明の一態様による集積回路は、基地局装置と通信を行なう端末装置に搭載される集積回路であって、第１の設定に関する情報および／または第２の設定に関する情報を受信する機能と、前記第１の設定に関する情報が設定され、前記第２の設定に関する情報が設定されない場合、第１の上りリンク電力制御に基づいて上りリンク信号を送信する機能と、前記第１の設定に関する情報および前記第２の設定に関する情報の両方が設定される場合、第２の上りリンク電力制御に基づいて上りリンク信号を送信する機能と、を前記端末装置に発揮させ、前記第１の設定に関する情報は、上りリンク信号を送信するサブフレーム（上りリンクサブフレーム）および下りリンク信号を受信するサブフレーム（下りリンクサブフレーム）の構成（TDD UL/DL configuration）を指示する情報であり、前記第２の設定に関する情報は、ビットマップの構成を指示する情報であることを特徴とする。【００１５】
このことにより、端末装置は、適切な送信電力制御を行なうことができる。
【発明の効果】
【００１６】
この発明によれば、基地局装置と端末装置が通信する通信システムにおいて、端末装置は適切な送信電力制御を行なうことで干渉や通信効率を向上させることができる。
【図面の簡単な説明】
【００１７】
【図１】本発明の第１の実施形態に係る基地局装置１の構成を示す概略ブロック図である。
【図２】本発明の第１の実施形態に係る端末装置２の構成を示す概略ブロック図である。
【図３】ＴＤＤ  ＵＬ／ＤＬ設定におけるサブフレームパターンの構成を示す図である。
【図４】本発明の第１の実施形態の基本形態に係る端末装置２の処理手順を示すフローチャートである。
【図５】ＴＰＣコマンド拡張の一例を示す図である。
【図６】ＴＰＣコマンド拡張の別の一例を示す図である。
【図７】第１の上りリンク電力制御に関する情報（UplinkPowerControl）に含まれるパラメータの一例を示す図である。
【図８】第２の上りリンク電力制御に関する共有情報の一例を示す図である。
【図９】第１の上りリンク電力制御に関する専用情報と第２の上りリンク電力制御に関する専用情報の一例を示す図である。
【図１０】本末名の第２の実施形態の基本形態に係る端末装置２の処理手順を示すフローチャートである。
【発明を実施するための形態】
【００１８】
（物理チャネル）
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａおよびそれ以降の規格リリースにおいて、今後追加、または、その構造やフォーマット形式が変更または追加される可能性があるが、そのような場合でも本発明の各実施形態の説明に影響しない。
【００１９】
ＬＴＥおよびＬＴＥ−Ａでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば、１２サブキャリア）の集合で構成される一定の周波数領域と、一定の送信時間間隔（例えば、１スロット、７シンボル）で構成される領域で定義される。
【００２０】
物理チャネルは、上位層から出力される情報を伝送するリソースエレメントのセットに対応する。物理信号は、物理層で使用され、上位層から出力される情報を伝送しない。つまり、無線リソース制御（RRC: Radio Resource Control）メッセージやシステム情報（SI:System Information）などの上位層の制御情報は、物理チャネルで伝送される。
【００２１】
下りリンク物理チャネルには、物理下りリンク共用チャネル（PDSCH: Physical Downlink Shared Channel）、物理報知チャネル（PBCH: Physical Broadcast Channel）、物理マルチキャストチャネル（PMCH: Physical Multicast Channel）、物理制御フォーマットインディケータチャネル（PCFICH: Physical Control Format Indicator Channel）、物理下りリンク制御チャネル（PDCCH: Physical Downlink Control Channel）、物理ハイブリットＡＲＱインディケータチャネル（PHICH: Physical Hybrid ARQ Indicator Channel）、拡張物理下りリンク制御チャネル（EPDCCH: Enhanced Physical Downlink Control Channel）がある。また、下りリンク物理信号は、種々の参照信号と種々の同期信号がある。下りリンク参照信号には、セル固有参照信号（CRS: Cell specific Reference Signal）、端末装置固有参照信号（UERS: UE specific Reference Signal）、チャネル状態情報参照信号（CSI-RS: Channel State Information Reference Signal）がある。同期信号には、プライマリー同期信号（PSS: Primary Synchronization Signal）とセカンダリー同期信号（SSS: Secondary Synchronization Signal）がある。
【００２２】
上りリンク物理チャネルには、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）がある。また、上りリンク物理信号には、種々の参照信号がある。上りリンク参照信号には、復調参照信号（DMRS: Demodulation Reference Signal）とサウンディング参照信号（SRS: Sounding Reference Signal）がある。
【００２３】
同期信号（SynchronizationSignal）は、３種類のプライマリー同期信号（PSS: Primary SynchronizationSignal）と、周波数領域で互い違いに配置される３１種類の符号から構成されるセカンダリー同期信号（SSS:Secondary Synchronization Signal）とで構成され、プライマリー同期信号とセカンダリー同期信号との組み合わせによって、基地局装置を識別する５０４通りのセル識別子（PCI: Physical layer Cell Identity, Physical Cell Identity, PhysicalCell Identifier）と無線同期のためのフレームタイミングが示される。端末装置は、セルサーチによって受信した同期信号のセル識別子を特定する。
【００２４】
物理報知チャネル（PBCH: PhysicalBroadcast Channel）は、セル内の端末装置で共通に用いられる制御パラメータ（報知情報やシステム情報）を通知する目的で送信される。ＰＢＣＨで通知されない報知情報は、ＰＤＣＣＨで無線リソースが通知され、ＰＤＳＣＨによってレイヤー３メッセージ（システムインフォメーション（システム制御情報）、ＲＲＣメッセージ）で送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマーなど）、共通無線リソース設定情報などが通知される。
【００２５】
下りリンク参照信号は、その用途によって複数のタイプに分類される。例えば、セル固有参照信号（Cell-specific reference signals; CRS）は、セル毎に所定の電力で送信されるパイロット信号であり、所定の規則に基づいて周波数領域および時間領域で周期的に繰り返される下りリンク参照信号である。端末装置は、セル固有参照信号を受信することでセル毎の受信品質を測定する。また、端末装置は、セル固有参照信号と同時に送信される物理下りリンク制御チャネル、または物理下りリンク共用チャネルの復調のための参照信号としても下りリンクセル固有参照信号を使用する。セル固有参照信号に使用される系列は、セル毎に識別可能な系列が用いられる。この系列は、擬似ランダム系列に基づいて生成されてもよい。また、この系列は、Ｚａｄｏｆｆ−Ｃｈｕ系列に基づいて生成されてもよい。また、この系列は、ゴールド系列に基づいて生成されてもよい。
【００２６】
また、下りリンク参照信号は下りリンクの伝搬路変動の推定にも用いられる。伝搬路変動の推定に用いられる下りリンク参照信号のことをチャネル状態情報参照信号（Channel State Information Reference Signals; CSI-RS）あるいはＣＳＩ参照信号と呼称してもよい。また実際には信号の送られないＣＳＩ参照信号、つまり基地局から信号の送信が行われないリソースは、ゼロパワーチャネル状態情報参照信号（Zero Power Channel State Information Reference Signals; Zero PowerCSI-RS）あるいはゼロパワーＣＳＩ参照信号と呼称してもよい。また干渉成分を測定するために用いられる下りリンクリソースの事をチャネル状態情報干渉測定リソース（Ｃｈａｎｎｅｌ  Ｓｔａｔｅ  Ｉｎｆｏｒｍａｔｉｏｎ  −  Ｉｎｔｅｒｆｅｒｅｎｃｅ  Ｍａｅｓｕｒｅｍｅｎｔ  ｒｅｓｏｒｕｃｅ：  ＣＳＩ−ＩＭ  ｒｅｓｏｕｒｃｅ）と呼称し、ＣＳＩ−ＩＭリソースに含まれるゼロパワーＣＳＩ参照信号を用いて、端末はＣＱＩの値を算出するために干渉信号の測定を行っても良い。また、端末装置毎に個別に設定される下りリンク参照信号は、端末装置固有参照信号（UERS: UE specific Reference Signals）または専用参照信号（Dedicated Reference Signals）、下りリンク復調参照信号（DLDMRS: Downlink Demodulation Reference Signals）などと称され、物理下りリンク制御チャネル、または物理下りリンク共用チャネルの復調に用いられる。
【００２７】
物理下りリンク共用チャネル（PhysicalDownlink Shared Channel; PDSCH）は、下りリンクデータのほか、ページングや物理報知情報チャネルで通知されない報知情報（システムインフォメーション）をレイヤー３メッセージ（ＲＲＣメッセージ）として端末装置に通知するためにも使用される。物理下りリンク共用チャネルの無線リソース割り当て情報は、物理下りリンク制御チャネルで示される。また、ＰＤＳＣＨは、下りリンクと上りリンクに関するパラメータ（情報要素、ＲＲＣメッセージ）を通知するためにも使用される。
【００２８】
物理下りリンク制御チャネル（PhysicalDownlink Control Channel; PDCCH）は、各サブフレームの先頭からいくつかのＯＦＤＭシンボルで送信され、端末装置に対して基地局装置のスケジューリングに従ったリソース割り当て情報や、送信電力の増減の調整量を指示する目的で使用される。端末装置は、下りリンクデータや下りリンク制御データであるレイヤー３メッセージ（ページング、ハンドオーバーコマンド、ＲＲＣメッセージなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメントとも呼称される）と呼ばれるリソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。この基地局装置から端末装置に対して個別（ｄｅｄｉｃａｔｅｄ）に割り当てられるリソースブロックの領域で送信される物理下りリンク制御チャネルをエンハンスト物理下りリンク制御チャネル（EPDCCH: Enhanced PDCCH）と呼称される場合もある。また、上述したＯＦＤＭシンボルで送信されるＰＤＣＣＨを第１の制御チャネルと呼称される場合もある。また、ＥＰＤＣＣＨを第２の制御チャネルと呼称される場合もある。また、ＰＤＣＣＨが割り当て可能なリソース領域を第１の制御チャネル領域、ＥＰＤＣＣＨが割り当て可能なリソース領域を第２の制御チャネル領域と呼称する場合もある。なお、以降に記述するＰＤＣＣＨには基本的にＥＰＤＣＣＨを含んでいる。
【００２９】
物理上りリンク共用チャネル（PhysicalUplink Shared Channel; PUSCH）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤー３メッセージとして基地局装置に通知するためにも使用される。また、下りリンクの場合と同様に物理上りリンク共用チャネルのリソース割り当て情報は、物理下りリンク制御チャネルで示される。また、ＰＵＳＣＨは、ダイナミックスケジューリンググラントに対しては上りリンクデータを送信する。また、ＰＵＳＣＨは、ランダムアクセスレスポンスグラントに対して、ランダムアクセスに関連した自局の情報（例えば、端末装置２の識別情報、メッセージ３）を送信する。また、ＰＵＳＣＨは、検出したグラントの種類に応じて送信電力制御に使用するパラメータが異なる場合がある。
【００３０】
物理上りリンク制御チャネル（PhysicalUplink Control Channel; PUCCH）は、物理下りリンク共用チャネルで送信されたデータの受信確認応答（Acknowledgement/Negative Acknowledgement; ACK/NACK）や下りリンクの伝搬路情報（チャネル状態情報）の通知、上りリンクのリソース割り当て要求（無線リソース要求）であるスケジューリングリクエスト（Scheduling Request; SR）を行なうために使用される。チャネル状態情報（CSI: Channel State Information）は、チャネル品質指標（CQI:Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各インディケータ（Indicator）は、インディケーション（Indication）と表記される場合もあるが、その用途と意味は同じである。また、送信するＵＣＩに応じて、ＰＵＣＣＨのフォーマットを切り替えてもよい。例えば、ＵＣＩがＨＡＲＱ  ＡＣＫおよび／またはＳＲから構成される場合、ＵＣＩはフォーマット１／１ａ／１ｂ／３を用いるＰＵＣＣＨで送信されてもよい。また、ＵＣＩがピリオディックＣＳＩから構成される場合、ＵＣＩはフォーマット２を用いるＰＵＣＣＨで送信されてもよい。
【００３１】
上りリンク参照信号（UplinkReference Signal）は、基地局装置が、物理上りリンク制御チャネルＰＵＣＣＨおよび／または物理上りリンク共用チャネルＰＵＳＣＨを復調するために使用する復調参照信号（Demodulation Reference Signal; DMRS）と、基地局装置が、主に、上りリンクのチャネル状態を推定するために使用するサウンディング参照信号（Sounding Reference Signal; SRS）が含まれる。また、サウンディング参照信号には、上位層によって周期的に送信するように設定される周期的サウンディング参照信号（P-SRS: Periodic SRS）と、下りリンク制御情報フォーマットに含まれるＳＲＳリクエストによって送信が要求される非周期的サウンディング参照信号（A-SRS: Aperiodic SRS）とがある。上りリンク参照信号は、上りリンクパイロット信号、上りリンクパイロットチャネルと呼称する場合もある。また、周期的サウンディング参照信号をピリオディックサウンディング参照信号、トリガータイプ０サウンディング参照信号（Trigger Type 0 SRS）と呼称する場合もある。また、非周期的サウンディング参照信号をアピリオディックサウンディング参照信号、トリガータイプ１サウンディング参照信号（Trigger Type 1 SRS）と呼称する場合もある。さらに、非周期的サウンディング参照信号は、協調通信において、上りリンクのチャネル推定用に特化した信号（例えば、トリガータイプ１ａＳＲＳと呼称される場合もある）と、下りリンクのチャネル状態（ＣＳＩ，ＣＱＩ，ＰＭＩ，ＲＩ）を補償するために使用される信号（例えば、トリガータイプ１ｂＳＲＳと呼称される場合もある）とに分けられてもよい。なお、ＤＭＲＳはＰＵＳＣＨとＰＵＣＣＨそれぞれに対応して、設定される。また、ＤＭＲＳは、ＰＵＳＣＨまたはＰＵＣＣＨと同じサブフレームで時間多重されて、送信される。
【００３２】
また、サウンディング参照信号は、上位層シグナリングによって通知されるサウンディング参照信号の設定に含まれる送信サブフレームに関する情報に従って、サウンディング参照信号を送信するサブフレームが決定される。送信サブフレームに関する情報には、セル固有に設定される情報と端末装置固有に設定される情報とがある。セル固有に設定される情報には、セル内のすべての端末装置が共有するサウンディング参照信号が送信されるサブフレームが設定されている。また、端末装置固有に設定される情報には、セル固有に設定されるサブフレームのサブセットとなるサブフレームオフセットと送信周期が含まれる。これらの情報によって、端末装置は、サウンディング参照信号を送信することができるサブフレーム（ＳＲＳサブフレーム、ＳＲＳ送信サブフレームと呼称する場合もある）を決定することができる。また、端末装置は、セル固有に設定されたサウンディング参照信号が送信されるサブフレームにおいて、物理上りリンク共用チャネルを送信する場合、サウンディング参照信号が送信されるシンボル分だけ物理上りリンク共用チャネルの時間リソースをパンクチャし、送信することができる。このことにより、端末装置間の物理上りリンク共用チャネルの送信とサウンディング参照信号の送信の衝突を回避することができる。物理上りリンク共用チャネルを送信する端末装置にとっては、特性劣化を防ぐことができる。また、サウンディング参照信号を送信する端末装置にとっては、チャネル推定精度を確保することができる。ここで、端末装置固有に設定される情報は、周期的サウンディング参照信号と非周期的サウンディング参照信号とで独立に設定することができる。なお、第１の上りリンク参照信号をピリオディックＳＲＳ（P-SRS: Periodic Sounding Reference Signal）、トリガータイプ０ＳＲＳ（Trigger Type 0 Sounding Reference Signal）と呼称する場合もある。第２の上りリンク参照信号をアピリオディックＳＲＳ（A-SRS: Aperiodic Sounding Reference Signal）、トリガータイプ１ＳＲＳ（Trigger Type 1 Sounding Reference Signal）と呼称する場合もある。第１の上りリンク参照信号は、上位層シグナリングによって種々のパラメータが設定された場合に、設定された送信サブフレームに従って周期的に送信される。また、第２の上りリンク参照信号は、下りリンク制御情報フォーマットに含まれる第２の上りリンク参照信号の送信要求に関するフィールド（ＳＲＳリクエスト）によって、送信要求が指示される場合に、非周期的に送信される。端末装置２は、ある下りリンク制御情報フォーマットに含まれるＳＲＳリクエストがポジティブまたはポジティブに相当するインデックス（値）を示している場合、所定の送信サブフレームでＡ−ＳＲＳを送信する。また、端末装置２は、検出したＳＲＳリクエストがネガティブまたはネガティブに相当するインデックス（値）を示す場合、所定のサブフレームでＡ−ＳＲＳを送信しない。
【００３３】
物理ランダムアクセスチャネル（PhysicalRandom Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末装置の基地局装置へのアクセス手段として用いられる。端末装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Timing Advance; TA）とも呼称される）を基地局装置に要求するために物理ランダムアクセスチャネルを用いる。
【００３４】
具体的には、端末装置は、基地局装置より設定された物理ランダムアクセスチャネル用の無線リソースを用いてプリアンブル系列を送信する。送信タイミング調整情報を受信した端末装置は、報知情報によって共通的に設定される（またはレイヤー３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤー３メッセージは、端末装置と基地局装置の無線リソース制御（RRC: Radio Resource Control）層でやり取りされる制御平面（C-plane:Control-plane）のメッセージであり、ＲＲＣシグナリングまたはＲＲＣメッセージと同義の意味で使用される。また、ＲＲＣシグナリングは、上位層シグナリングや専用シグナリング（Dedicated signaling）と呼称する場合もある。
【００３５】
以下、論理チャネルについて説明する。論理チャネルは、ＲＲＣメッセージや情報要素を伝送するために用いられる。また、論理チャネルは、トランスポートチャネルを介して、物理チャネルで送信される。
【００３６】
報知制御チャネル（BCCH: BroadcastControl Channel）は、システム制御情報を報知するために用いられる下りリンクチャネルである。例えば、システム情報や初期アクセスに必要な情報は、このチャネルを用いて送信される。ＭＩＢ（Master Information Block）やＳＩＢ１（SystemInformation Block Type 1）は、このチャネルを用いて伝送される。
【００３７】
共有制御チャネル（CCCH: CommonControl Channel）は、ネットワークとＲＲＣコネクションを持たない端末装置とネットワーク間で制御情報を送信するために用いられるチャネルである。例えば、端末固有の制御情報や設定情報は、このチャネルを用いて送信される。
【００３８】
専用制御チャネル（DCCH: DedicatedControl Channel）は、ＲＲＣコネクションを持つ端末装置とネットワーク間を双方向で専用制御情報を送信するために用いられるチャネルである。例えば、セル固有の再設定情報は、このチャネルを用いて送信される。
【００３９】
上りリンク電力制御に関する情報は、報知情報として設定される情報と、同じセル内の端末装置間で共有される情報（共有情報）として（再）設定される情報と、端末固有の専用情報として（再）設定される情報と、がある。端末装置２は、報知情報として設定される情報のみ、または、報知情報／共有情報として設定される情報と、専用情報として設定される情報に基づいて送信電力制御を行なう。
【００４０】
無線リソース制御設定共有情報は、報知情報（またはシステム情報）として通知されてもよい。また、無線リソース制御設定共有情報は、専用情報（モビリティ制御情報）として通知されてもよい。
【００４１】
無線リソース設定に関する情報は、ランダムアクセスチャネル（ＲＡＣＨ）設定に関する情報、報知制御チャネル（ＢＣＣＨ）設定に関する情報、ページング制御チャネル（ＰＣＣＨ）設定に関する情報、物理ランダムアクセスチャネル（ＰＲＡＣＨ）設定に関する情報、物理下りリンク共用チャネル（ＰＤＳＣＨ）設定に関する情報、物理上りリンク共用チャネル（ＰＵＳＣＨ）設定に関する情報、物理上りリンク制御チャネル（ＰＵＣＣＨ）設定に関する情報、サウンディング参照信号（ＳＲＳ）設定に関する情報、上りリンク電力制御に関する情報、上りリンクサイクリックプレフィックス長に関する情報などを含む。報知情報として通知される場合と再設定情報として設定される場合で、通知する情報は異なっていてもよい。
【００４２】
種々の物理チャネル／物理信号（ＰＲＡＣＨ，ＰＵＣＣＨ，ＰＵＳＣＨ、ＳＲＳ，ＵＬ  ＤＭＲＳ、ＣＲＳ，ＣＳＩ−ＲＳ、ＰＤＣＣＨ、ＰＤＳＣＨ、ＰＳＳ／ＳＳＳ,ＤＬ  ＤＭＲＳ，ＰＢＣＨ，ＰＭＣＨなど）を設定するために必要な情報要素は、同一セル内の端末装置間で共有する共有設定情報と、端末装置毎に設定される専用設定情報で構成される。共有設定情報は、システムインフォメーションで送信されてもよい。また、共有設定情報は、再設定を行なう場合には、専用情報として送信されてもよい。
【００４３】
上記物理チャネルのパラメータに関する情報は、ＲＲＣメッセージを用いて端末装置へ送信される。つまり、端末装置は、受信したＲＲＣメッセージに基づいて、各物理チャネルのリソース割り当てや送信電力を設定する。ＲＲＣメッセージには、報知チャネルに関するメッセージ、マルチキャストチャネルに関するメッセージ、ページングチャネルに関するメッセージ、下りリンクの各チャネルに関するメッセージ、上りリンクの各チャネルに関するメッセージなどがある。各ＲＲＣメッセージは、情報要素（IE: Information element）を含んで構成されてもよい。また、情報要素は、パラメータに相当する情報が設定されてもよい。なお、ＲＲＣメッセージは、メッセージと呼称される場合もある。また、メッセージクラスは、１つ以上のメッセージのセットである。メッセージには、情報要素が含まれてもよい。情報要素には、無線リソース制御に関する情報要素、セキュリティ制御に関する情報要素、モビリティ制御に関する情報要素、測定に関する情報要素、マルチメディアブロードキャストマルチキャストサービス（MBMS: Multimedia Broadcast Multicast Service）に関する情報要素などがある。また、情報要素には、下位の情報要素が含まれてもよい。情報要素は、パラメータとして設定されてもよい。また、情報要素は、１つ以上のパラメータを示す制御情報として定義されてもよい。
【００４４】
情報要素（IE: InformationElement）は、システム情報（SI: System Information）または専用シグナリング（Dedicated signaling）で種々のチャネル／信号／情報に対するパラメータを規定（指定、設定）するために使われる。また、ある情報要素は、１つ以上のフィールドを含む。情報要素は、１つ以上の情報要素で構成されてもよい。なお、情報要素に含まれるフィールドをパラメータと呼称する場合もある。つまり、情報要素は、１種類（１つ）以上のパラメータを含んでもよい。また、端末装置は、種々のパラメータに基づいて無線リソース割り当て制御や上りリンク電力制御、送信制御等を行なう。また、システムインフォメーションは情報要素として定義されてもよい。
【００４５】
情報要素を構成するフィールドには、情報要素が設定されてもよい。また、情報要素を構成するフィールドには、パラメータが設定されてもよい。
【００４６】
ＲＲＣメッセージは、１つ以上の情報要素を含む。また、複数のＲＲＣメッセージがセットされたＲＲＣメッセージをメッセージクラスと呼称する。
【００４７】
システム新ふぉメーションを用いて端末装置２に通知される上りリンク送信電力制御に関するパラメータには、ＰＵＳＣＨに対する標準電力、ＰＵＣＣＨに対する標準電力、伝搬路損失補償係数α、ＰＵＣＣＨフォーマット毎に設定される電力オフセットのリスト、プリアンブルとメッセージ３の電力オフセットがある。さらに、システムインフォメーションを用いて端末装置２に通知されるランダムアクセスチャネルに関するパラメータには、プリアンブルに関するパラメータ、ランダムアクセスチャネルの送信電力制御に係るパラメータ、ランダムアクセスプリアンブルの送信制御に係るパラメータがある。これらのパラメータは、初期アクセス時または無線リンク障害（RLF: Radio Link Failure）発生後の再接続時に使用される。
【００４８】
送信電力制御に関する情報（上りリンク電力制御に関する情報、ランダムアクセスチャネルに関する情報）は、報知情報として端末装置２に通知されてもよい。また、共有情報として端末装置２に通知されてもよい。
【００４９】
（第１の実施形態）
以下、本発明の第１の実施形態の基本形態について説明する。第１の実施形態の基本形態における通信システムは、基地局装置（以下、アクセスポイント、ポイント、送信ポイント、受信ポイント、セル、サービングセル、送信装置、受信装置、送信局、受信局、送信アンテナ群、送信アンテナポート群、受信アンテナ群、受信アンテナポート群、通信装置、通信端末、ｅＮｏｄｅＢとも呼称される）として、プライマリー基地局装置（マクロ基地局装置、第１の基地局装置、第１の通信装置、サービング基地局装置、アンカー基地局装置、第１のアクセスポイント、第１のポイント、第１の送信ポイント、第１の受信ポイント、マクロセル、第１のセル、プライマリーセルとも呼称される）を備える。さらに、第１の実施形態における通信システムは、セカンダリー基地局装置（ＲＲＨ（Remote Radio Head）、リモートアンテナ、張り出しアンテナ、分散アンテナ、第２のアクセスポイント、第２のポイント、第２の送信ポイント、第２の受信ポイント、参照点、小電力基地局装置（LPN: Low Power Node）、マイクロ基地局装置、ピコ基地局装置、フェムト基地局装置、スモール基地局装置、ローカルエリア基地局装置、ファントム基地局装置、家庭（屋内）向け基地局装置（Home eNodeB, Home NodeB,HeNB, HNB）、第２の基地局装置、第２の通信装置、協調基地局装置群、協調基地局装置セット、協調基地局装置、マイクロセル、ピコセル、フェムトセル、スモールセル、ファントムセル、ローカルエリア、第２のセル、セカンダリーセルとも呼称される）を備えてもよい。また、第１の実施形態に係る通信システムは、端末装置（以下、移動局、移動局装置、移動端末、受信装置、送信装置、受信端末、送信端末、第３の通信装置、受信アンテナ群、受信アンテナポート群、送信アンテナ群、送信アンテナポート群、ユーザ装置、ユーザ端末（UE: User Equipment）とも呼称される）を備える。ここで、セカンダリー基地局装置は、複数のセカンダリー基地局装置として示されてもよい。例えば、プライマリー基地局装置とセカンダリー基地局装置は、ヘテロジーニアスネットワーク配置を利用して、セカンダリー基地局装置のカバレッジの一部または全てが、プライマリー基地局装置のカバレッジに含まれ、端末装置と通信が行なわれてもよい。
【００５０】
また、第１の実施形態の基本形態に係る通信システムは、基地局装置１と端末装置２とで構成される。単一の基地局装置１は、１つ以上の端末装置２を管理してもよい。また、単一の基地局装置１は、１つ以上のセル（サービングセル、プライマリーセル、セカンダリーセル、フェムトセル、ピコセル、スモールセル、ファントムセル）を管理してもよい。また、単一の基地局装置１は、１つ以上の周波数帯域（コンポーネントキャリア、キャリア周波数）を管理してもよい。また、単一の基地局装置１は、１つ以上の小電力基地局装置（LPN: Low Power Node）を管理してもよい。また、単一の基地局装置１は、１つ以上の家庭（屋内）向け基地局装置（HeNB: Home eNodeB）を管理してもよい。また、単一の基地局装置１は、１つ以上のアクセスポイントを管理してもよい。基地局装置間は、有線（光ファイバ、銅線、同軸ケーブル）または無線（Ｘ２インタフェース、Ｘ３インタフェース）で接続されてもよい。また、複数の基地局装置は、ネットワークで管理されてもよい。また、単一の基地局装置は、１つ以上の中継局装置（Relay）を管理してもよい。
【００５１】
また、第１の実施形態の基本形態に係る通信システムは、複数の基地局装置または小電力基地局装置または家庭用基地局装置で協調通信（CoMP: CoordinationMultiple Points）を実現してもよい。
【００５２】
また、近くに配置された複数の小電力基地局装置またはスモールセルは、クラスタリング（クラスター化、グループ化）されてもよい。クラスタリングされた複数の小電力基地局装置は、同じ設定情報を通知してもよい。また、クラスター化されたスモールセルの領域（カバレッジ）をローカルエリアと呼称する場合もある。
【００５３】
下りリンク送信において、基地局装置は、送信点（TP:Transmission Point）と呼称される場合もある。また、上りリンク送信において、基地局装置は、受信点（RP: Reception Point）と呼称される場合もある。また、下りリンク送信点および上りリンク受信点は、下りリンクパスロス測定用のパスロス参照点（Pathloss ReferencePoint, Reference Point）になりうる。また、パスロス測定用の参照点は、送信点や受信点とは独立に設定されてもよい。
【００５４】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。また、スモールセルやファントムセル、ローカルエリアセルはサービングセルに含まれてもよい。
【００５５】
また、スモールセルまたはスモールセルとして設定されたサービングセルまたはスモールセルに対応するコンポーネントキャリアでは、一部の物理チャネル／物理信号が送信されなくてもよい。例えば、セル固有参照信号（CRS: Cell specific Reference Signal(s)）や物理下りリンク制御チャネル（PDCCH: Physical Downlink Control Channel）が送信されなくてもよい。また、スモールセルまたはスモールセルとして設定されたサービングセルまたはスモールセルに対応するコンポーネントキャリアでは、新しい物理チャネル／物理信号が送信されてもよい。
【００５６】
第１の実施形態の基本形態では、基地局装置１は、端末装置２に第１の設定に関する情報および／または第２の設定に関する情報を送信する。端末装置２は、第１の設定に関する情報または第２の設定に関する情報を受信する（すなわち、第１の設定に関する情報または第２の設定に関する情報の何れか一方を設定する）場合、第１の上りリンク電力制御を行なう。端末装置２は、第１の設定に関する情報および第２の設定に関する情報を受信する（すなわち、第１の設定に関する情報および第２の設定に関する情報を設定する）場合、状況に応じて、第１の上りリンク電力制御または第２の上りリンク電力制御を行なう。例えば、第２の上りリンク電力制御を行なうには、端末装置２は、第２の上りリンク電力制御に関する情報を受信する必要がある場合もある。また、端末装置２は、第２の上りリンク電力制御が可能であると判断した場合には、第２の上りリンク電力制御を行なう。例えば、基地局装置１から第２の上りリンク電力制御に関する情報が送信される場合、端末装置２は、第２の上りリンク電力制御を行ない、基地局装置１から第２の上りリンク電力制御に関する情報が送信されなかった場合、端末装置２は、第２の上りリンク電力制御を行なわない。この際、端末装置２は、第１の上りリンク電力制御に基づいて上りリンク信号の送信電力を設定する。
【００５７】
図１は、本発明の基地局装置１の構成を示す概略ブロック図である。図示するように、基地局装置１は、上位層処理部１０１、制御部１０３、受信部１０５、送信部１０７、チャネル測定部１０９、および、送受信アンテナ１１１、を含んで構成される。また、受信部１０５は、復号化部１０５１、復調部１０５３、多重分離部１０５５と無線受信部１０５７を含んで構成される。また、基地局装置１の受信処理は、上位層処理部１０１、制御部１０３、受信部１０５、送受信アンテナ１１１で行なわれる。また、送信部１０７は、符号化部１０７１、変調部１０７３、多重部１０７５、無線送信部１０７７と下りリンク参照信号生成部１０７９を含んで構成される。また、基地局装置１の送信処理は、上位層処理部１０１、制御部１０３、送信部１０７、送受信アンテナ１１１で行なわれる。
【００５８】
上位層処理部１０１は、媒体アクセス制御（MAC:Medium Access Control）層、パケットデータ統合プロトコル（PDCP: PacketData Convergence Protocol）層、無線リンク制御（RLC: Radio LinkControl）層、無線リソース制御（RRC: Radio Resource Control）層の処理を行う。
【００５９】
上位層処理部１０１は、下りリンクの各チャネルに配置する情報を生成、又は上位ノードから取得し、送信部１０７に出力する。また、上位層処理部１０１は、上りリンクの無線リソースの中から、端末装置２が上りリンクのデータ情報である物理上りリンク共用チャネル（PUSCH: Physical Uplink Shared Channel）を配置する無線リソースを割り当てる。また、上位層処理部１０１は、下りリンクの無線リソースの中から、下りリンクのデータ情報である物理下りリンク共用チャネル（PDSCH: Physical Downlink Shared Channel）を配置する無線リソースを決定する。上位層処理部１０１は、当該無線リソースの割り当てを示す下りリンク制御情報を生成し、送信部１０７を介して、端末装置２に送信する。上位層処理部１０１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、上位層処理部１０１は、ある端末装置またはあるセルに対して各種下りリンク信号の設定に関する情報および各種上りリンク信号の設定に関する情報を設定する。また、上位層処理部１０１は、種々の下りリンク信号の設定に関する情報および種々の上りリンク信号の設定に関する情報をセル毎に設定してもよい。また、上位層処理部１０１は、種々の下りリンク信号の設定に関する情報および種々の上りリンク信号の設定に関する情報を端末装置毎に設定してもよい。また、上位層処理部１０１は、ある端末装置２またはあるセルに対して、つまり、端末装置固有および／またはセル固有に、第１の設定に関する情報から第ｎの設定に関する情報（ｎは自然数）を設定し、送信部１０７を介して、端末装置２へ送信してもよい。例えば、下りリンク信号および／または上りリンク信号の設定に関する情報とは、リソース割り当てに関するパラメータを含んでもよい。また、下りリンク信号および／または上りリンク信号の設定に関する情報とは、系列算出に使用するパラメータを含んでもよい。なお、これらの無線リソースを時間周波数リソース、サブキャリア、リソースエレメント（RE: Resource Element）、リソースエレメントグループ（REG:Resource Element Group）、制御チャネル要素（CCE: Control ChannelElement）、リソースブロック（RB: Resource Block）、リソースブロックグループ（RBG: Resource Block Group）などと呼称する場合もある。
【００６０】
これらの設定情報および制御情報を情報要素として定義してもよい。また、これらの設定情報および制御情報をＲＲＣメッセージとして定義してもよい。また、これらの設定情報および制御情報をシステム情報で端末装置２へ送信してもよい。また、これらの設定情報および制御情報を専用シグナリングで端末装置２へ送信してもよい。
【００６１】
また、上位層処理部１０１は、システムインフォメーションブロックタイプ１に少なくとも１つのＴＤＤ  ＵＬ／ＤＬ設定（TDD UL/DL configuration(s), TDD config, tdd-Config, uplink-downlink configuration(s)）を設定する。ＴＤＤ  ＵＬ／ＤＬ設定は、図３のように定義されてもよい。インデックスを設定することによって、ＴＤＤの構成を示してもよい。さらに、下りリンク参照として、第２のＴＤＤ  ＵＬ／ＤＬ設定を設定してもよい。また、システムインフォメーションブロックは複数のタイプを用意してもよい。例えば、システムインフォメーションブロックタイプ１には、ＴＤＤ  ＵＬ／ＤＬ設定に関する情報要素が含まれる。また、システムインフォメーションブロックタイプ２には、無線リソース制御に関する情報要素が含まれる。なお、ある情報要素の中に、その情報要素に係るパラメータが情報要素として含まれてもよい。例えば、物理層では、パラメータと呼称されるものが、上位層では、情報要素として定義されてもよい。
【００６２】
なお、本発明では、identity,identifier, identificationをＩＤ（識別子、識別符号、識別番号）と呼称する。端末固有に設定されるＩＤ（ＵＥＩＤ）には、Ｃ−ＲＮＴＩ（Cell Radio Network Temporary Identifier），ＳＰＳ  Ｃ−ＲＮＴＩ（Semi-persistent Scheduling C-RNTI），Ｔｅｍｐｏｒａｒｙ  Ｃ−ＲＮＴＩ，ＴＰＣ−ＰＵＳＣＨ  ＲＮＴＩ，ＴＰＣ−ＰＵＣＣＨ  ＲＮＴＩ、コンテンションレゾリューションのためのランダム値がある。これらのＩＤは、セル単位で使用される。これらのＩＤは、上位層処理部によって設定される。また、上位層処理部１０１は、端末装置２に対して種々の識別子を設定し、送信部１０７を介して、端末装置２へ通知する。例えば、ＲＮＴIを設定し、端末装置２へ通知する。また、物理セルＩＤまたは仮想セルＩＤまたは仮想セルＩＤに相当するＩＤを設定し、通知する。例えば、仮想セルＩＤに相当するＩＤとして、物理チャネル固有に設定可能なＩＤ（ＰＵＳＣＨ  ＩＤ，ＰＵＣＣＨ  ＩＤ，スクランブリング初期化ＩＤ，参照信号ＩＤ（ＲＳＩＤ）など）がある。物理セルＩＤや仮想セルＩＤは物理チャネルおよび物理信号の系列生成に用いることがある。
【００６３】
上位層処理部１０１は、端末装置２から物理上りリンク制御チャネル（PUCCH: Physical Uplink Control Channel）で通知された上りリンク制御情報（UCI: Uplink Control Information）、および端末装置２から通知されたバッファの状況や上位層処理部１０１が設定した端末装置２各々の各種設定情報（ＲＲＣメッセージ、システムインフォメーション、パラメータ、情報要素）に基づき、受信部１０５および送信部１０７の制御を行うために制御情報を生成し、制御部１０３に出力する。なお、ＵＣＩには、ＡＣＫ／ＮＡＣＫ、スケジューリング要求（SR: Scheduling Request）、チャネル状態情報（CSI: ChannelState Information）のうち少なくとも一つが含まれる。なお、ＣＳＩには、ＣＱＩ，ＰＭＩ，ＲＩのうち少なくとも一つが含まれる。
【００６４】
上位層処理部１０１は、上りリンク信号（ＰＲＡＣＨ、ＰＵＣＣＨ、ＰＵＳＣＨ、ＵＬ  ＤＭＲＳ、Ｐ−ＳＲＳ、およびＡ−ＳＲＳ）の送信電力および送信電力に関するパラメータを設定する。また、上位層処理部１０１は、下りリンク信号（ＣＲＳ、ＤＬ  ＤＭＲＳ、ＣＳＩ−ＲＳ、ＰＤＳＣＨ、ＰＤＣＣＨ／ＥＰＤＣＣＨなど）の送信電力および送信電力に関するパラメータを、送信部１０７を介して、端末装置２に送信する。つまり、上位層処理部１０１は、上りリンクおよび下りリンクの電力制御に関する情報を、送信部１０７を介して、端末装置２に送信する。言い換えると、上位層処理部１０１は、基地局装置１および端末装置２の送信電力制御に関する情報を設定する。例えば、上位層処理部１０１は、基地局装置１の送信電力に関するパラメータを端末装置２に送信する。また、上位層処理部１０１は、端末装置２の最大送信電力に関するパラメータを端末装置２に送信する。また、上位層処理部１０１は、種々の物理チャネルの送信電力制御に関する情報を端末装置２に送信する。また、上位層処理部１０１は、隣接する基地局装置からの干渉量を示す情報、隣接する基地局装置から通知された隣接する基地局装置１に与えている干渉量を示す情報、またチャネル測定部１０９から入力されたチャネルの品質などに応じて、ＰＵＳＣＨなどが所定のチャネル品質を満たすよう、また隣接する基地局装置１への干渉を考慮し、端末装置２の送信電力を設定し、これらの設定を示す情報を、送信部１０７を介して、端末装置２に送信する。
【００６５】
具体的には、上位層処理部１０１は、端末装置間で共有する情報（上りリンク電力制御に関する共有情報）または端末装置間で共通なパラメータとして設定される情報として、ＰＵＳＣＨとＰＵＣＣＨそれぞれに対する標準電力（ＰＯ＿ＮＯＭＩＮＡＬ＿ＰＵＳＣＨ，ＰＯ＿ＮＯＭＩＮＡＬ＿ＰＵＣＣＨ）、伝搬路損失補償係数（減衰係数）α、メッセージ３用の電力オフセット、ＰＵＣＣＨフォーマット毎に規定される電力オフセットなどをシステムインフォメーションとして送信する。その際、ＰＵＣＣＨフォーマット３の電力オフセットおよびデルタＰＵＣＣＨフォーマット１ｂＣＳの電力オフセットを追加して通知してもよい。また、これらの共有情報は、ＲＲＣメッセージで通知されてもよい。また、上位層処理部１０１は、端末装置２毎に設定可能な情報（上りリンク電力制御に関する専用情報）として、端末装置固有ＰＵＳＣＨ電力Ｐ０＿ＵＥ＿ＰＵＳＣＨ、デルタＭＣＳ可能、アキュムレーション可能、端末装置固有ＰＵＣＣＨ電力、Ｐ−ＳＲＳ電力オフセット、フィルタ係数をＲＲＣメッセージで通知する。その際、各ＰＵＣＣＨフォーマットにおける送信ダイバーシチの電力オフセット、Ａ−ＳＲＳ電力オフセットを通知してもよい。なお、ここで述べるαとはパスロス値と共に送信電力をセットするために用いられ、パスロスを補償する度合いを表す係数、言い換えるとパスロスに応じてどの程度送信電力を増減させるか（つまり、どの程度送信電力を補償するか）を決定する係数（減衰係数、伝送路損失補償係数）である。αは通常０から１の値をとり、０であればパスロスに応じた電力の補償は行わず、１であればパスロスの影響が基地局装置１において生じないよう端末装置２の送信電力を補償する。これらの情報は、再設定情報として端末装置２へ送信されてもよい。
【００６６】
また、上位層処理部１０１は、端末装置２毎に下りリンク信号／上りリンク信号の送信電力または送信電力に関するパラメータを設定してもよい。また、上位層処理部１０１は、端末装置間で共通の下りリンク／上りリンク信号の送信電力または送信電力に関するパラメータを設定してもよい。これらのパラメータに関する情報を上りリンク電力制御に関する情報および／または下りリンク電力制御に関する情報として端末装置２へ送信してもよい。
【００６７】
上位層処理部１０１は、種々の物理チャネル／物理信号に係る種々のＩＤの設定を行ない、制御部１０３を介して、受信部１０５および送信部１０７へＩＤの設定に関する情報を出力する。例えば、上位層処理部１０１は、下りリンク制御情報フォーマットに含まれるＣＲＣをスクランブルするＲＮＴＩ（ＵＥＩＤ）の値を設定する。また、上位層処理部１０１は、Ｃ−ＲＮＴＩ（Cell Radio Network Temporary Identifier），Ｔｅｍｐｏｒａｒｙ  Ｃ−ＲＮＴＩ，Ｐ−ＲＮＴＩ（Paging-RNTI），ＲＡ−ＲＮＴＩ（Random Access-RNTI），ＳＰＳ  Ｃ−ＲＮＴＩ（Semi-Persistent Scheduling C-RNTI）などの種々の識別子の値を設定してもよい。また、上位層処理部１０１は、物理セルＩＤや仮想セルＩＤ、スクランブル初期化ＩＤなどのＩＤの値を設定する。これらの設定情報は、制御部１０３を介して、各処理部へ出力される。また、これらの設定情報は、ＲＲＣメッセージやシステムインフォメーション、端末装置固有の専用情報、情報要素として端末装置２へ送信されてもよい。また、一部のＲＮＴＩはＭＡＣ  ＣＥ（Control Element）を用いて送信されてもよい。
【００６８】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【００６９】
受信部１０５は、制御部１０３から入力された制御信号に従って、送受信アンテナ１１１を介して端末装置２から受信した受信信号を分離、復調、復号し、復号した情報を上位層処理部１０１に出力する。無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行い、周波数領域の信号を抽出し多重分離部１０５５に出力する。
【００７０】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。尚、この分離は、予め基地局装置１が決定して各端末装置２に通知した無線リソースの割り当て情報に基づいて行われる。また、多重分離部１０５５は、チャネル測定部１０９から入力された伝送路の推定値から、ＰＵＣＣＨとＰＵＳＣＨの伝送路の補償を行なう。また、多重分離部１０５５は、分離したＵＬ  ＤＭＲＳおよびＳＲＳをチャネル測定部１０９に出力する。
【００７１】
復調部１０５３は、ＰＵＳＣＨを逆離散フーリエ変換（IDFT:Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK:Quadrature Phase Shift Keying）、１６値直交振幅変調（16QAM: 16Quadrature Amplitude Modulation）、６４値直交振幅変調（64QAM: 64Quadrature Amplitude Modulation）等の予め定められた、または基地局装置１が端末装置２各々に下りリンク制御情報で予め通知した変調方式を用いて受信信号の復調を行なう。
【００７２】
復号化部１０５１は、復調したＰＵＣＣＨとＰＵＳＣＨの符号化ビットを、予め定められた符号化方式の、予め定められた、又は基地局装置１が端末装置２に上りリンクグラント（UL grant）で予め通知した符号化率で復号を行ない、復号したデータ情報と、上りリンク制御情報を上位層処理部１０１へ出力する。
【００７３】
チャネル測定部１０９は、多重分離部１０５５から入力された上りリンク復調参照信号ＵＬ  ＤＭＲＳとＳＲＳから伝送路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【００７４】
送信部１０７は、制御部１０３から入力された制御信号に従って、下りリンクの参照信号（下りリンク参照信号）を生成し、上位層処理部１０１から入力されたデータ情報、下りリンク制御情報を符号化、および変調し、ＰＤＣＣＨ（ＥＰＤＣＣＨ）、ＰＤＳＣＨ、および下りリンク参照信号を多重して、送受信アンテナ１１１を介して端末装置２に下りリンク信号を送信する。
【００７５】
符号化部１０７１は、上位層処理部１０１から入力された下りリンク制御情報、およびデータ情報を、ターボ符号化、畳み込み符号化、ブロック符号化等の符号化を行う。変調部１０７３は、符号化ビットをＱＰＳＫ、１６ＱＡＭ、６４ＱＡＭ等の変調方式で変調する。下りリンク参照信号生成部１０７９は、基地局装置１を識別するためのセル識別子（Cell ID, Cell Identity, Cell Identifier, Cell Identification）などを基に予め定められた規則で求まる、端末装置２が既知の系列で下りリンク参照信号として生成する。多重部１０７５は、変調した各チャネルと生成した下りリンク参照信号を多重する。
【００７６】
無線送信部１０７７は、多重した変調シンボルを逆高速フーリエ変換（IFFT: Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【００７７】
図２は、本実施形態に係る端末装置２の構成を示す概略ブロック図である。図示するように、端末装置２は、上位層処理部２０１、制御部２０３、受信部２０５、送信部２０７、チャネル測定部２０９、および、送受信アンテナ２１１、を含んで構成される。また、受信部２０５は、復号化部２０５１、復調部２０５３、多重分離部２０５５と無線受信部２０５７を含んで構成される。端末局装置２の受信処理は、上位層処理部２０１、制御部２０３、受信部２０５、送受信アンテナ２１１で行なわれる。また、送信部２０７は、符号化部２０７１、変調部２０７３、多重部２０７５と無線送信部２０７７を含んで構成される。また、端末装置２の送信処理は、上位層処理部２０１、制御部２０３、送信部２０７、送受信アンテナ２１１で行なわれる。
【００７８】
上位層処理部２０１は、ユーザの操作等により生成された上りリンクのデータ情報を、送信部に出力する。また、上位層処理部２０１は、媒体アクセス制御（MAC: Medium Access Control）層、パケットデータ統合プロトコル（PDCP:Packet Data Convergence Protocol）層、無線リンク制御（RLC: RadioLink Control）層、無線リソース制御（RRC: Radio Resource Control）層の処理を行う。
【００７９】
上位層処理部２０１は、自局の各種設定情報の管理を行なう。また、上位層処理部２０１は、上りリンクの各チャネルに配置する情報を生成し、送信部２０７に出力する。上位層処理部２０１は、基地局装置１からＰＤＣＣＨで通知された下りリンク制御情報、およびＰＤＳＣＨで通知された無線リソース制御情報で設定された上位層処理部２０１が管理する自局の各種設定情報に基づき、受信部２０５、および送信部２０７の制御を行うために制御情報を生成し、制御部２０３に出力する。また、上位層処理部２０１は、基地局装置１から通知された第１の設定に関する情報から第ｎの設定に関する情報に基づいて、各信号の種々のパラメータ（情報要素、ＲＲＣメッセージ）をセットする。また、それらのセットした情報を生成し、制御部２０３を介して、送信部２０７に出力する。
【００８０】
上位層処理部２０１は、基地局装置１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局装置１が端末装置２に通知したピリオディックＳＲＳを送信するサブフレームと、周波数帯域と、ピリオディックＳＲＳのＣＡＺＡＣ系列に用いるサイクリックシフトの量と、を示す情報、および、基地局装置１が端末装置２に通知したアピリオディックＳＲＳを送信する周波数帯域と、アピリオディックＳＲＳのＣＡＺＡＣ系列に用いるサイクリックシフトの量と、を示す情報を受信部２０５から取得する。
【００８１】
上位層処理部２０１は、前記情報に従ってＳＲＳ送信の制御を行なう。具体的には、上位層処理部２０１は、前記ピリオディックＳＲＳに関する情報に従ってピリオディックＳＲＳを１回または周期的に送信するよう送信部２０７を制御する。また、上位層処理部２０１は、受信部２０５から入力されたＳＲＳリクエスト（ＳＲＳインディケータ）においてアピリオディックＳＲＳの送信を要求された場合、アピリオディックＳＲＳに関する情報に従ってアピリオディックＳＲＳを予め定められた回数（例えば、１回）だけ送信する。
【００８２】
上位層処理部２０１は、基地局装置１から送信される種々の上りリンク信号の送信電力制御に関する情報に基づいて、ＰＲＡＣＨ、ＰＵＣＣＨ、ＰＵＳＣＨ、ピリオディックＳＲＳ、およびアピリオディックＳＲＳの送信電力の制御を行なう。具体的には、上位層処理部２０１は、受信部２０５から取得した種々の上りリンク電力制御に関する情報に基づいて種々の上りリンク信号の送信電力を設定する。例えば、ＳＲＳの送信電力は、Ｐ０＿ＰＵＳＣＨ、α、ピリオディックＳＲＳ用の電力オフセットＰＳＲＳ＿ＯＦＦＳＥＴ（０）（第１の電力オフセット（pSRS-Offset））、アピリオディックＳＲＳ用の電力オフセットＰＳＲＳ＿ＯＦＦＳＥＴ（１）（第２の電力オフセット（pSRS-OffsetAp））、およびＴＰＣコマンドに基づいて制御される。なお、上位層処理部２０１は、ＰＳＲＳ＿ＯＦＦＳＥＴに対してピリオディックＳＲＳかアピリオディックＳＲＳかに応じて第１の電力オフセットか第２の電力オフセットかを切り替える。また、上位層処理部２０１は、ピリオディックＳＲＳおよび／またはアピリオディックＳＲＳに対して第３の電力オフセットが設定されている場合、第３の電力オフセットに基づいて送信電力をセットする。なお、第３の電力オフセットは、第１の電力オフセットや第２の電力オフセットよりも広い範囲で値が設定されてもよい。第３の電力オフセットは、ピリオディックＳＲＳおよびアピリオディックＳＲＳそれぞれに対して設定されてもよい。つまり、上りリンク電力制御に関する情報とは、種々の上りリンク物理チャネルの送信電力の制御に係るパラメータ（情報要素、ＲＲＣメッセージ）のことである。
【００８３】
また、上位層処理部２０１は、あるサービングセルおよびあるサブフレームにおいて、第１の上りリンク参照信号の送信電力と物理上りリンク共用チャネルの送信電力の合計が端末装置２に設定される最大送信電力（例えば、ＰＣＭＡＸ）を超える場合、物理上りリンク共用チャネルを送信するように、制御部２０３を介して送信部２０７に指示情報を出力する。また、上位層処理部２０１は、あるサービングセルおよびあるサブフレームにおいて、第１の上りリンク参照信号の送信電力と物理上りリンク制御チャネルの送信電力の合計が端末装置２に設定される最大送信電力を超える場合、物理上りリンク制御チャネルを送信するように、制御部２０３を介して送信部２０７に指示情報を出力する。
【００８４】
また、上位層処理部２０１は、あるサービングセルおよびあるサブフレームにおいて、第２の上りリンク参照信号の送信電力と物理上りリンク共用チャネルの送信電力の合計が端末装置２に設定される最大送信電力を超える場合、物理上りリンク共用チャネルを送信するように、制御部２０３を介して送信部２０７に指示情報を出力する。また、上位層処理部２０１は、あるサービングセル（例えば、サービングセルｃ）およびあるサブフレーム（例えば、サブフレームｉ）において、第２の上りリンク参照信号の送信電力と物理上りリンク制御チャネルの送信電力の合計が端末装置２に設定される最大送信電力を超える場合、物理上りリンク制御チャネルを送信するように、制御部２０３を介して送信部２０７に指示情報を出力する。
【００８５】
また、上位層処理部２０１は、同じタイミング（例えば、サブフレーム）で複数の物理チャネルの送信が生じる場合、種々の物理チャネルの優先度に応じて、種々の物理チャネルの送信電力を制御したり、種々の物理チャネルの送信を制御したりすることもできる。上位層処理部２０１は、制御部２０３を介してその制御情報を送信部２０７に出力する。
【００８６】
また、上位層処理部２０１は、複数のサービングセルまたは複数のサービングセルそれぞれに対応する複数のコンポーネントキャリアを用いるキャリアアグリゲーションを行なう場合、物理チャネルの優先度に応じて、種々の物理チャネルの送信電力を制御したり、種々の物理チャネルの送信を制御したりすることもできる。また、上位層処理部２０１は、セルの優先度に応じて、該セルから送信される種々の物理チャネルの送信制御を行なってもよい。上位層処理部２０１は、制御部２０３を介してその制御情報を送信部２０７に出力する。
【００８７】
上位層処理部２０１は、基地局装置１から通知された上りリンク参照信号の設定に関する情報に基づいて上りリンク参照信号の生成等を行なうように制御部２０３を介して送信部２０７に指示情報を出力する。つまり、参照信号制御部２０１３は、制御部２０３を介して、上りリンク参照信号の設定に関する情報を上りリンク参照信号生成部２０７９へ出力する。
【００８８】
制御部２０３は、上位層処理部２０１からの制御情報に基づいて、受信部２０５、および送信部２０７の制御を行う制御信号を生成する。制御部２０３は、生成した制御信号を受信部２０５および送信部２０７に出力して、受信部２０５および送信部２０７の制御を行う。
【００８９】
受信部２０５は、制御部２０３から入力された制御信号に従って、送受信アンテナ２１１を介して基地局装置１から受信した受信信号を、分離、復調、復号し、復号した情報を上位層処理部２０１に出力する。
【００９０】
受信部２０５は、第１の設定に関する情報および／または第２の設定に関する情報を受信するか否かによって、適切な受信処理を行なう。例えば、第１の設定に関する情報または第２の設定に関する情報のうち、何れか一方を受信している場合には、受信した下りリンク制御情報フォーマットから第１の制御情報フィールドを検出し、第１の設定に関する情報および第２の設定に関する情報を受信している場合には、受信した下りリンク制御情報フォーマットから第２の制御情報フィールドを検出する。
【００９１】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【００９２】
多重分離部２０５５は、抽出した信号を物理下りリンク制御チャネル（PDCCH: Physical Downlink Control Channel）、ＰＤＳＣＨ、および下りリンク参照信号（DRS: Downlink Reference Signal）に、それぞれ分離する。尚、この分離は、下りリンク制御情報で通知された無線リソースの割り当て情報などに基づいて行われる。また、多重分離部２０５５は、チャネル測定部２０９から入力された伝送路の推定値から、ＰＤＣＣＨとＰＤＳＣＨの伝送路の補償を行なう。また、多重分離部２０５５は、分離した下りリンク参照信号をチャネル測定部２０９に出力する。
【００９３】
復調部２０５３は、ＰＤＣＣＨに対して、ＱＰＳＫ変調方式の復調を行ない、復号化部２０５１へ出力する。復号化部２０５１は、ＰＤＣＣＨの復号を試み、復号に成功した場合、復号した下りリンク制御情報を上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【００９４】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝送路の推定値を算出し、多重分離部２０５５へ出力する。また、チャネル測定部２０９は、参照信号制御部２０１３から制御部２０３を介して通知された測定に関する種々の情報、測定報告に関する種々の情報に従って、第１の信号および／または第２の信号の受信電力測定や受信品質測定を行なう。その結果を上位層処理部２０１に出力する。また、チャネル測定部２０９は、第１の信号および／または第２の信号のチャネル評価を行なうことを指示された場合、それぞれの信号のチャネル評価に関する結果を上位層処理部２０１に出力してもよい。ここで、第１の信号や第２の信号は、参照信号（パイロット信号、パイロットチャネル、基準信号）であり、第１の信号や第２の信号の他に第３の信号や第４の信号があってもよい。つまり、チャネル測定部２０９は、１つ以上の信号のチャネルを測定する。また、チャネル測定部２０９は、上位層処理部２０１から、制御部２０３を介して、通知された制御情報に従って、チャネル測定を行なう信号を設定する。
【００９５】
送信部２０７は、制御部２０３から入力された制御信号（制御情報）に従って、上りリンク復調参照信号（ＵＬ  ＤＭＲＳ）および／またはサウンディング参照信号（ＳＲＳ）を生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局装置１に送信する。また、送信部２０７は、上位層処理部２０１から測定結果に関する情報が出力された場合、送受信アンテナ２１１を介して基地局装置１に送信する。また、送信部２０７は、上位層処理部２０１からチャネル評価に関する結果であるチャネル状態情報が出力された場合、そのチャネル状態情報を基地局装置１へフィードバックする。つまり、上位層処理部２０１は、チャネル測定部２０９から通知された測定結果に基づいてチャネル状態情報（ＣＳＩ、ＣＱＩ、ＰＭＩ、ＲＩ）を生成し、制御部２０３を介して基地局装置１へフィードバックする。
【００９６】
送信部２０７は、受信部２０５において第１の設定に関する情報または第２の設定に関する情報のうち、何れか一方を受信し、設定する場合には、第１の上りリンク電力制御を行ない、受信部２０５において第１の設定に関する情報および第２の設定に関する情報を受信し、設定する場合には、第２の上りリンク電力制御を行ない、上りリンク信号を送信する。
【００９７】
符号化部２０７１は、上位層処理部２０１から入力された上りリンク制御情報、およびデータ情報を、ターボ符号化、畳み込み符号化、ブロック符号化等の符号化を行う。変調部２０７３は、符号化部２０７１から入力された符号化ビットをＢＰＳＫ、ＱＰＳＫ、１６ＱＡＭ、６４ＱＡＭ等の変調方式で変調する。
【００９８】
上りリンク参照信号生成部２０７９は、上りリンク参照信号の設定に関する情報に基づいて上りリンク参照信号を生成する。つまり、上りリンク参照信号生成部２０７９は、基地局装置１を識別するためのセル識別子、上りリンク復調参照信号、第１の上りリンク参照信号、第２の上りリンク参照信号を配置する帯域幅などを基に予め定められた規則で求まる、基地局装置１が既知のＣＡＺＡＣ系列を生成する。また、上りリンク参照信号生成部２０７９は、制御部２０３から入力された制御信号に従って、生成した上りリンク復調参照信号、第１の上りリンク参照信号、第２の上りリンク参照信号のＣＡＺＡＣ系列にサイクリックシフトを与える。
【００９９】
上りリンク参照信号生成部２０７９は、上りリンク復調参照信号および／またはサウンディング参照信号、上りリンク参照信号の基準系列を所定のパラメータに基づいて初期化してもよい。所定のパラメータは各参照信号で同じパラメータであってもよい。また、所定のパラメータは各参照信号に独立に設定されたパラメータであってもよい。つまり、上りリンク参照信号生成部２０７９は、独立に設定されたパラメータがなければ、同じパラメータで各参照信号の基準系列を初期化することができる。
【０１００】
多重部２０７５は、制御部２０３から入力された制御信号に従って、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。
【０１０１】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【０１０２】
図４は、第１の実施形態の基本形態に係る端末装置２の処理手順を示すフローチャートである。端末装置２は、基地局装置１から送信された情報によって、条件Ａを満たすか条件Ｂを満たすかを識別する（ステップＳ４０１）。端末装置２は、条件Ａを満たす場合、第１の上りリンク電力制御を行なう（ステップＳ４０２）。端末装置２は、条件Ｂを満たす場合、第２の上りリンク電力制御を行なう（ステップＳ４０３）。ここで、第１の上りリンク電力制御および第２の上りリンク電力制御は、全ての上りリンクサブフレームに対して適用される。
【０１０３】
ここで、条件Ａとは、端末装置２が第１の設定に関する情報または第２の設定に関する情報の何れか一方のみを受信し、設定することであり、条件Ｂとは、端末装置２が第１の設定に関する情報および第２の設定に関する情報を受信し、設定することである。
【０１０４】
なお、第１の上りリンク電力制御および第２の上りリンク電力制御については、後述の変形例を用いて説明する。
【０１０５】
なお、第１の設定に関する情報および第２の設定に関する情報の詳細については後述する。
【０１０６】
第１の実施形態では、ある情報と上りリンク電力制御を関連付けることで、通信状況に応じた送信電力制御を適切に行うことができる。
【０１０７】
（第１の実施形態の変形例１）
次に、第１の実施形態の変形例１について説明する。第１の実施形態の変形例１では、基地局装置１は、第１の設定に関する情報および／または第２の設定に関する情報を端末装置２へ送信する。また、基地局装置１は、第１の設定に関する情報または第２の設定に関する情報の何れか一方のみを設定する端末装置２に対しては、下りリンク制御情報（DCI: Downlink Control Information）フォーマットに第１の送信電力制御（TPC: Transmit Power Control）コマンドに関するフィールドを設定して、送信することができる。また、基地局装置１は、第１の設定に関する情報および第２の設定に関する情報を設定する端末装置２に対しては、ＤＣＩフォーマットに第２のＴＰＣコマンドに関するフィールドを設定して、送信することができる。端末装置２は、第１の設定に関する情報または第２の設定に関する情報を受信する場合、基地局装置１から送信されるＤＣＩフォーマットに伴うＴＰＣコマンドに関するフィールドを第１のＴＰＣコマンドに関するフィールドとして受信処理（例えば、復調・復号処理、信号検出処理、情報抽出処理）を行ない、第１のＴＰＣコマンドに基づいて上りリンク信号の送信電力制御を行ない、第１の設定に関する情報および第２の設定に関する情報を受信する場合、基地局装置１から送信されるＤＣＩフォーマットに伴うＴＰＣコマンドに関するフィールドを第２のＴＰＣコマンドに関するフィールドとして受信処理を行ない、第２のＴＰＣコマンドに基づいて、上りリンク信号の送信電力制御を行なう。
【０１０８】
ここで第１の実施形態の基本形態に基づいて説明すると、第１の上りリンク電力制御と第２の上りリンク電力制御との違いは、下りリンク制御情報（DCI: Downlink Control Information）フォーマットに含まれる送信電力制御（TPC: Transmit Power Control）コマンドに関するフィールドを拡張するか否かであってもよい。つまり、ＴＰＣコマンドに関するフィールドを構成するビットサイズ（ビット数）が第１の上りリンク電力制御と第２の上りリンク電力制御で異なる。例えば、第１の上りリンク電力制御ではＴＰＣコマンドに関するフィールドが２ビットで構成され、第２の上りリンク電力制御では３ビットで構成されてもよい。つまり、端末装置２は、第２の設定に関する情報を設定すると、ＴＰＣコマンドに関するフィールドが拡張されたと認識し、復調・復号処理を行ない、上りリンク電力制御を行なう。端末装置２は、ＴＰＣコマンドに関するフィールドが拡張されると、拡張される前よりも広い範囲の電力補正をダイナミックに制御することができる。なお、ここで示すビットサイズについては一例であるため、この例とは異なるビットサイズで拡張されてもよい。
【０１０９】
また、第１の実施形態の変形例１では、端末装置２は、第１の設定に関する情報および第２の設定に関する情報が設定されると、送信電力制御（TPC: Transmit Power Control）コマンドに関するフィールドが拡張されると認識してもよい。ここで、ＴＰＣコマンドに関するフィールドが拡張されるとは、ＴＰＣコマンドに関するフィールドに割り当てられるビット数が拡張されることを含む。また、ＴＰＣコマンドに関するフィールドが拡張されるとは、ＴＰＣコマンドによって、設定可能な電力補正値が拡張される前のＴＰＣコマンドで選択可能な値に比べ、より高い値またはより低い値まで設定可能になることを含む。つまり、ＴＰＣコマンドに関するフィールドを構成するビット数は変わらず、設定可能な値が変わる。なお、第１の設定に関する情報と第２の設定に関する情報は、同じＲＲＣメッセージ（またはシステムインフォメーション）にセットされて端末装置２に送信されてもよい。また、第１の設定に関する情報と第２の設定に関する情報は、異なるＲＲＣメッセージ（またはシステムインフォメーション）にセットされて端末装置２に送信されてもよい。また、第１の設定に関する情報と第２の設定に関する情報は、異なる情報要素（パラメータ）としてセットされる。つまり、端末装置２は、第１の設定に関する情報および第２の設定に関する情報を設定すると、拡張されたＴＰＣコマンドに関するフィールドを復調・復号することができ、上りリンク電力制御の範囲を拡張することができる。つまり、端末装置２は、サブフレーム単位でより広範囲の（より大きな）電力補正をダイナミックに行なうことができる。
【０１１０】
また、端末装置２は、第１のＴＰＣコマンドに係るテーブルと第２のＴＰＣコマンドに係るテーブルを事前に設定されてもよい。図５と図６は、第１のＴＰＣコマンドに関するフィールドおよび第２のＴＰＣコマンドに関するフィールドによって指示されるＴＰＣコマンドの構成の一例である。図５は、第１のＴＰＣコマンドに関するフィールドと第２のＴＰＣコマンドに関するフィールドとでビットサイズ（ビット数）が拡張された場合を示している。ビットサイズが拡張されることで、第２のＴＰＣコマンドに関するフィールドでは、より多段階かつより広範囲での電力補正を行なうことができる。また、図６は、第１のＴＰＣコマンドに関するフィールドと第２のＴＰＣコマンドに関するフィールドとで同じビットサイズで構成されるが、選択可能な電力補正値が異なる。第１のＴＰＣコマンドに関するフィールドと第２のＴＰＣコマンドに関するフィールドとで設定可能な電力補正値は、少なくとも１つは異なる。
【０１１１】
端末装置２は、第１の設定に関する情報および第２の設定に関する情報が設定されることによって、ＴＰＣコマンドが拡張される場合、拡張されたＴＰＣコマンドフィールドを含むＤＣＩフォーマットはＰＤＣＣＨの端末固有検索領域（USS: UE-specific Search Space）、ＥＰＤＣＣＨの共有検索領域（CSS: Common Search Space）、ＥＰＤＣＣＨのＵＳＳのうち、少なくとも１つにはマッピングされる。
【０１１２】
基地局装置１の上位層処理部は、第２の設定に関する情報が設定可能な端末装置２に対して、拡張したＴＰＣコマンドを伴うＤＣＩフォーマットを送信してもよい。
【０１１３】
また、基地局装置１は、第１の設定に関する情報および第２の設定に関する情報が設定される端末装置２に対して、同じＤＣＩフォーマットに第１のＴＰＣコマンドに関するフィールドと第２のＴＰＣコマンドに関するフィールドを設定して送信してもよい。また、基地局装置１は、第１の設定に関する情報および第２の設定に関する情報が設定される端末装置２に対して、同じＤＣＩフォーマットの第１のＴＰＣコマンドに関するフィールドを第２のＴＰＣコマンドに関するフィールドとして設定して送信してもよい。つまり、基地局装置１は、第１のＴＰＣコマンドに関するフィールドから第２のＴＰＣコマンドに関するフィールドに入れ替えて送信してもよい。また、基地局装置１は、第１の設定に関する情報および第２の設定に関する情報が設定される端末装置２に対して、一部の制御情報フィールドを第２のＴＰＣコマンドに関するフィールドとして設定して送信してもよい。端末装置２は、基地局装置１が設定したＤＣＩフォーマットから第２のＴＰＣコマンドに関するフィールドを検出することができる。なお、第２のＴＰＣコマンドを適用できるか否かは、第１の設定に関する情報および第２の設定に関する情報とは異なる制御情報で示されてもよい。
【０１１４】
（第１の実施形態の変形例２）
次に、第１の実施形態の変形例２について説明する。第１の実施形態の変形例２では、基地局装置１は、第１の設定に関する情報および／または第２の設定に関する情報を端末装置２へ送信する。また、基地局装置１は、第１の設定に関する情報および第２の設定に関する情報を設定する端末装置２に対しては、下りリンク制御情報（DCI: Downlink Control Information）フォーマットに所定の電力オフセットを上りリンク電力に適用するか否かを指示するフィールドを設定して、送信することができる。また、基地局装置１は、第１の設定に関する情報および第２の設定に関する情報を設定する端末装置２に対しては、所定の電力オフセットに関する情報を送信する。端末装置２は、第１の設定に関する情報および第２の設定に関する情報を受信する場合には、ＤＣＩフォーマットに所定の電力オフセットを上りリンク電力に適用するか否かを指示するフィールドが追加されると認識し、ＤＣＩフォーマットの受信処理（復調・復号処理、検出処理）を行なう。そのフィールドで所定の電力オフセットを適用することが指示される場合には、端末装置２は、上りリンク信号の送信電力を所定の電力オフセットを考慮して設定し、上りリンク信号を基地局装置１へ送信する。例えば、所定の電力オフセットとは、第１のサブフレームサブセットと第２のサブフレームサブセットで送信される上りリンク信号の送信電力の電力比である。また、所定の電力オフセットとは、第１のサブフレームサブセットと第２のサブフレームサブセットで送信される上りリンク信号の送信電力の電力差であってもよい。また、所定の電力オフセットとは、第１の上りリンク電力制御によって設定される送信電力と第２の上りリンク電力制御によって設定される送信電力の電力比である。また、所定の電力オフセットとは、第１の上りリンク電力制御によって設定される送信電力と第２の上りリンク電力制御によって設定される送信電力の電力差である。また、所定の電力オフセットが０である場合、第１の上りリンク電力制御によって設定される送信電力と第２の上りリンク電力制御によって設定される送信電力は同じになることがある。
【０１１５】
ここで第１の実施形態の基本形態に基づいて説明すると、端末装置２に所定の電力オフセットに関する情報が設定される場合、第１の上りリンク電力制御と第２の上りリンク電力制御との違いは、ＤＣＩフォーマットに所定の電力オフセットを上りリンク電力に適用するか否かを指示するフィールドが追加されるか否かであってもよい。つまり、端末装置２は、第１の設定に関する情報に加え、第２の設定に関する情報を設定すると、ＤＣＩフォーマットに所定の電力オフセットを上りリンク電力に適用するか否かを指示するフィールドが追加されると認識し、受信処理を行なう。端末装置２は、所定の電力オフセットを上りリンク電力に適用すると指示される場合には、所定の電力オフセットを考慮して上りリンク電力を設定する。なお、所定の電力オフセットは、ＲＲＣメッセージ（情報要素）に含まれて端末装置２に通知されてもよく、この時、そのフィールドは、１ビットのオン／オフのトリガービットとして設定される。また、所定の電力オフセットは、所定の電力オフセットを上りリンク電力に適用するか否かを指示するフィールドによってどの程度オフセットするかが設定されてもよい。つまり、ＤＣＩフォーマットに上りリンク電力制御に関する新しいフィールドが追加される。新しいフィールドが設定されたＤＣＩフォーマットは、ＰＤＣＣＨまたはＥＰＤＣＣＨのＵＳＳ、ＥＰＤＣＣＨのＣＳＳのうち、少なくとも１つには割り当てられる。
【０１１６】
（第１の実施形態の変形例３）
次に、第１の実施形態の変形例３について説明する。第１の実施形態の変形例３では、基地局装置１は、第１の設定に関する情報および／または第２の設定に関する情報を端末装置２へ送信する。また、基地局装置１は、第１の設定に関する情報および第２の設定に関する情報を設定する端末装置２に対しては、下りリンク制御情報（DCI: Downlink Control Information）フォーマットに第１の上りリンク電力制御に関する情報と第２の上りリンク電力制御に関する情報の切り替えを指示するフィールドを設定し、送信する。基地局装置１は、そのフィールドにおいて第１の上りリンク電力制御に関する情報を適用することを指示する場合、端末装置２に対して第１の上りリンク電力制御に関する情報に基づいて上りリンク信号の送信電力を設定するように制御することができ、そのフィールドにおいて第２の上りリンク電力制御に関する情報が指示される場合、端末装置２に対して第２の上りリンク電力制御に関する情報に基づいて上りリンク信号の送信電力を設定するように制御することができる。端末装置２は、第１の設定に関する情報および第２の設定に関する情報を受信する場合には、基地局装置１から送信されるＤＣＩフォーマットに第１の上りリンク電力制御に関する情報と第２の上りリンク電力制御に関する情報の切り替えを指示するフィールドが設定されていると認識し、受信処理を行ない、そのフィールドの指示に基づいて上りリンク信号の送信電力を制御する。なお、このフィールドが２ビット以上で構成される場合、複数の上りリンク電力制御に関する情報の切り替えを指示することができる。例えば、このフィールドが２ビットで構成される場合、第１の値（例えば、“００”）が示されていれば、第１の上りリンク電力制御に関する情報に基づいて上りリンク信号の送信電力を設定し、第２の値（例えば、“０１”）で示されていれば、第２の上りリンク電力制御に関する情報に基づいて上りリンク信号の送信電力を設定し、第３の値（例えば、“１０”）で示されていれば、第３の上りリンク電力制御に関する情報に基づいて上りリンク信号の送信電力を設定し、第４の値（例えば、“１１”）で示されていれば、第４の上りリンク電力制御に関する情報に基づいて上りリンク信号の送信電力を設定してもよい。この際、第１の上りリンク電力制御に関する情報から第４の上りリンク電力制御に関する情報は事前に設定されている。なお、第１の上りリンク電力制御に関する情報から第４の上りリンク電力制御に関する情報は、ＲＲＣメッセージで基地局装置１から端末装置２へ通知されてもよい。
【０１１７】
ここで第１の実施形態の基本形態に基づいて説明すると、端末装置２に第１の上りリンク電力制御に関する情報と第２の上りリンク電力制御に関する情報が設定される場合、第１の設定に関する情報および／または第２の設定に関する情報が設定されることによって行なう第１の上りリンク電力制御と第２の上りリンク電力制御の違いは、ＤＣＩフォーマットに第１の上りリンク電力制御に関する情報と第２の上りリンク電力制御に関する情報の切り替えを指示するフィールドが追加されるか否かであってもよい。つまり、第２の上りリンク電力制御では、ＤＣＩフォーマットに２つの上りリンク電力制御に関する情報の切り替えを指示するフィールドが設定されている。上りリンク電力制御に関する情報の切り替えを指示するフィールドに設定された値が第１の値（第１のインデックス）の場合、第１の上りリンク電力制御に関する情報に基づいて上りリンク送信電力を設定し、上りリンク電力制御に関する情報の切り替えを指示するフィールドに設定された値が第２の値（第２のインデックス）の場合、第２の上りリンク電力制御に関する情報に基づいて上りリンク送信電力を設定する。基地局装置１は、第１の上りリンク電力制御に関する情報および第２の上りリンク電力制御に関する情報を端末装置２へ送信する。なお、上りリンク電力制御に関する情報には、上りリンク信号（上りリンク物理チャネル）に係る電力制御パラメータが少なくとも１つは含まれる。また、端末装置２が第２の上りリンク電力制御に関する情報を設定していない場合、第１の設定に関する情報および第２の設定に関する情報を設定してもＤＣＩフォーマットに第１の上りリンク電力制御に関する情報と第２の上りリンク電力制御に関する情報の切り替えを指示するフィールドが追加されるとは認識しない。また、第１の上りリンク電力制御に関する情報と第２の上りリンク電力制御に関する情報のうち、一方の情報しか設定していない端末装置２は、第２の設定に関する情報を受信することを期待しない。
【０１１８】
この際、基地局装置１は、端末装置２に対して、複数の上りリンク電力制御に関する情報を設定する。複数設定される情報は、セル固有に設定される情報であってもよい。また、複数設定される情報は、端末装置固有に設定される情報であってもよい。また、複数設定される情報は、セル固有に設定される情報および端末固有に設定される情報であってもよい。また、複数設定される情報は、セル固有に設定される情報または端末固有に設定される情報に含まれる特定のパラメータであってもよい。例えば、上りリンク電力制御に関する情報は、ＰＵＳＣＨの送信電力やＰＵＣＣＨの送信電力、ＳＲＳの送信電力を制御するためのパラメータまたはパラメータセットを少なくとも１つは含まれている。つまり、第２の上りリンク電力制御に関する情報に設定されていないパラメータは、第１の上りリンク電力制御に関する情報に設定されているパラメータを代用してもよい。
【０１１９】
例えば、第１の上りリンク電力制御と第２の上りリンク電力制御で異なる上りリンク電力制御は、異なるセル固有の上りリンク電力制御に関するパラメータ（セット）を切り替えて、上りリンク信号の送信電力を制御することである。また、異なる送信電力制御は、異なる端末固有の上りリンク電力制御に関するパラメータ（セット）を切り替えて、上りリンク信号の送信電力を制御することである。また、異なる送信電力制御は、異なるセル固有または端末固有の上りリンク電力制御に関するパラメータ（セット）を切り替えて、上りリンク信号の送信電力を制御することである。また、異なる上りリンク電力制御は、異なるループでアキュムレーション送信電力制御を行なうことである。
【０１２０】
図７は、第１の上りリンク電力制御に関する情報（UplinkPowerControl）に含まれるパラメータの一例を示す図である。第１の上りリンク電力制御に関する情報には、セル固有（セル内の端末装置間で共有）に設定される情報（上りリンク電力制御に関する共有情報（UplinkPowerControlCommon））と端末装置毎に設定される情報（上りリンク電力制御に関する専用情報（UplinkPowerControlDedicated））がある。共有情報としては、セル固有に設定可能なＰＵＳＣＨ電力である標準ＰＵＳＣＨ電力（p0-NominalPUSCH）、フラクショナル送信電力制御の減衰係数（伝送路損失補償係数）α（alpha）、セル固有に設定可能なＰＵＣＣＨ電力である標準ＰＵＣＣＨ電力（p0-NominalPUCCH）、ＰＵＣＣＨフォーマット毎の電力調整値（電力オフセット）ΔＦ＿ＰＵＣＣＨは（deltaFList-PUCCH）、プリアンブルメッセージ３が送信される場合の電力調整値（電力オフセット）（deltaPreambleMsg3）がある。また、専用情報としては、端末装置固有に設定可能なＰＵＳＣＨ電力である端末固有ＰＵＳＣＨ電力（p0-UE-PUSCH）、変調符号化方式による電力調整値Ｋｓを考慮するか否かを指示する情報（deltaMCS-Enabled）、アキュムレーション送信電力制御が可能か否かを指示する情報（accumulationEnabled）、端末装置固有に設定可能なＰＵＣＣＨ電力である端末固有ＰＵＣＣＨ電力（p0-UE-PUCCH）、ピリオディックおよびアピリオディックＳＲＳの電力オフセットＰＳＲＳ＿ＯＦＦＳＥＴ（pSRS-Offset、pSRS-OffsetAp-r10）、参照信号の受信電力（RSRP: ReferenceSignal Received Power）のフィルタ係数（filterCoefficient）がある。これらの情報は、プライマリーセルに対して設定可能であるが、セカンダリーセルに対しても同様の設定を行なうことができる。さらに、セカンダリーセルに対する専用情報では、プライマリーセルかセカンダリーセルのパスロス測定用参照信号を用いてパスロスの計算を行なうことを指示するパラメータ（pathlossReferenceLinking）が含まれてもよい。
【０１２１】
図８は、第２の上りリンク電力制御に関する共有情報の一例を示す図である。第２の（プライマリーセルに対する）上りリンク電力制御に関する共有情報または第２のセカンダリーセルに対する上りリンク電力制御に関する共有情報に含まれるパラメータは、図８に示したパラメータがすべて含まれて設定されてもよい。また、第２の（プライマリーセルに対する）上りリンク電力制御に関する共有情報または第２のセカンダリーセルに対する上りリンク電力制御に関する共有情報に含まれる情報要素は、図８に示したパラメータのうち少なくとも一つのパラメータが含まれて設定されてもよい。また、第２の（プライマリーセルに対する）上りリンク電力制御に関する共有情報または第２のセカンダリーセルに対する上りリンク電力制御に関する共有情報に含まれるパラメータは、一つも含まれてなくてもよい。この場合には、基地局装置１は、解放を選択し、その共有情報を端末２へ送信する。また、第２の上りリンク電力制御に関する共有情報で設定されなかったパラメータは、第１の上りリンク電力制御に関する共有情報と同じ設定をしてもよい。
【０１２２】
図９は、第１の上りリンク電力制御に関する専用情報と第２の上りリンク電力制御に関する専用情報の一例を示す図である。第１のプライマリーセル／セカンダリーセルに対する上りリンク電力制御に関する専用情報には、パスロスを測定する下りリンク参照信号（下りリンク無線リソース）を指示するパスロス参照リソースが設定されてもよい。また、第２のプライマリーセル／セカンダリーセルに対する上りリンク電力制御に関する専用情報には、図７で示したパラメータに加え、パスロス参照リソースが設定されてもよい。第２の（プライマリーセルに対する）上りリンク電力制御に関する専用情報または第２のセカンダリーセルに対する上りリンク電力制御に関する専用情報に含まれるパラメータは、図９に示したパラメータがすべて設定されてもよい。また、第２の（プライマリーセルに対する）上りリンク電力制御に関する専用情報または第２のセカンダリーセルに対する上りリンク電力制御に関する専用情報に含まれるパラメータは、図９に示したパラメータのうち少なくとも一つのパラメータが設定されていればよい。また、第２の（プライマリーセルに対する）上りリンク電力制御に関す専用情報または第２のセカンダリーセルに対する上りリンク電力制御に関する専用情報に含まれるパラメータは、一つも設定されていなくてもよい。この場合には、基地局装置１は、解放を選択し、その情報を端末装置２へ送信する。また、第２の上りリンク電力制御に関する専用情報で設定されなかったパラメータは、第１の上りリンク電力制御に関する専用情報と同じ設定をしてもよい。つまり、第２の上りリンク電力制御に関する専用情報においてパスロス参照リソースが設定されなかった場合には、第１の上りリンク電力制御に関する専用情報で設定されているパスロス参照リソースに基づいてパスロスの計算を行なってもよい。
【０１２３】
なお、第１の上りリンク電力制御に関する情報および第２の上りリンク電力制御に関する情報は同じ情報要素または同じＲＲＣメッセージに含まれて端末装置２へ送信されてもよい。
【０１２４】
（第１の実施形態の変形例４）
次に、第１の実施形態の変形例４について説明する。第１の実施形態の変形例４では、基地局装置１は、第１の設定に関する情報および／または第２の設定に関する情報を端末装置２へ送信する。また、基地局装置１は、ＤＣＩフォーマット３／３Ａに拡張したＴＰＣコマンドを指示するＤＣＩフォーマット３Ｂを設定して端末装置２へ送信する。端末装置２は、第１の設定に関する情報および第２の設定に関する情報を設定している場合、受信したＤＣＩフォーマット３／３ＡをＤＣＩフォーマット３Ｂとして読み替えることができる。端末装置２は、第１の設定に関する情報または第２の設定に関する情報のうち、何れか一方のみを設定している場合、拡張前のＴＰＣコマンドを指示するＤＣＩフォーマットに基づいて上りリンク信号の送信電力を設定し、第１の設定に関する情報および第２の設定に関する情報の両方を設定している場合、拡張後のＴＰＣコマンドを指示するＤＣＩフォーマットに基づいて上りリンク信号の送信電力を設定することができる。
【０１２５】
端末装置２は、第１の設定に関する情報および第２の設定に関する情報を設定すると、拡張されるＴＰＣコマンドのビットサイズに応じて、ＤＣＩフォーマット３Ｂに含まれるＴＰＣコマンドナンバーを認識する。例えば、ＤＣＩフォーマット０のペイロードサイズをＬとし、ＴＰＣコマンドナンバーをＮ、ビットサイズをＭとすると、ＤＣＩフォーマット３Ｂに設定されるＴＰＣコマンドナンバーは、Ｎ＝ＦＬＯＯＲ（Ｌ／Ｍ）で求められる。ＤＣＩフォーマット３Ｂは、ＤＣＩフォーマット３／３Ａとは独立にＴＰＣインデックスが設定される。なお、ＤＣＩフォーマット３Ｂは、ＥＰＤＣＣＨのＣＳＳにのみ割り当てられてもよい。また、ＤＣＩフォーマット３Ｂは、ＰＤＣＣＨまたはＥＰＤＣＣＨのＵＳＳに割り当てられてもよい。
【０１２６】
ここで第１の実施形態の基本形態に基づいて説明すると、第１の上りリンク電力制御と第２の上りリンク電力制御の違いは、ＴＰＣコマンドに関する新しいＤＣＩフォーマットが設定されるか否かである。ここで、拡張されたＴＰＣコマンドに関する新しいＤＣＩフォーマット（ＤＣＩフォーマット３Ｂ）に対して、ＴＰＣコマンドに関するＤＣＩフォーマットを識別するための識別子（ＴＰＣ−ＲＮＴＩ）がＤＣＩフォーマット３／３Ａとは独立に設定されてもよい。また、ＤＣＩフォーマット３ＢのＴＰＣインデックスは、ＤＣＩフォーマット３／３Ａと独立に設定されてもよい。
【０１２７】
第１の実施形態では、第１の設定に関する情報および第２の設定に関する情報によって、２つのサブフレームサブセットが構成される場合であっても、端末装置２は、異なるサブフレームサブセット間で共通の送信電力制御を行なうことができる。
【０１２８】
第１の実施形態の変形例１から変形例４では、端末装置２は、第１の設定に関する情報および第２の設定に関する情報を設定すると、ＤＣＩフォーマットが拡張される、または、ＤＣＩフォーマットの一部のフィールドが読み替えられる、または、ＤＣＩフォーマットに新しいフィールド（制御情報フィールド、制御フィールド、情報ビットフィールド、ビットフィールド）が追加されると認識することができる。
【０１２９】
なお、第１の実施形態では、端末装置２に第１の設定に関する情報および第２の設定に関する情報を設定される場合に、新しい制御情報フィールドが設定されていないＤＣＩフォーマットを第１のＤＣＩフォーマットとし、新しい制御情報フィールドが設定されるＤＣＩフォーマットを第２のＤＣＩフォーマットとすると、第２のＤＣＩフォーマットは、ＰＤＣＣＨ（第１の下りリンク制御チャネル領域）および／またはＥＰＤＣＣＨ（第２の下りリンク制御チャネル領域）の端末固有探索領域（USS: UE-specific Search Space）で送信されてもよい。また、第２のＤＣＩフォーマットは、ＥＰＤＣＣＨの共有探索領域（CSS: Common Search Space）で送信されてもよい。つまり、端末装置２に第１の設定に関する情報および第２の設定に関する情報が設定される場合であっても、第１のＤＣＩフォーマットは、ＰＤＣＣＨのＣＳＳで送信される。
【０１３０】
端末装置２に設定された情報（条件）に応じて、端末装置２は、送信サブフレームの設定に因らず、上りリンク信号の送信電力制御を切り替えることによって、適切な送信電力制御を行なうことができる。
【０１３１】
（第２の実施形態の基本形態）
次に、第２の実施形態の基本形態について説明する。第２の実施形態の基本形態では、基地局装置１は、第１の設定に関する情報および／または第２の設定に関する情報を端末装置２へ送信する。端末装置２は、第１の設定に関する情報または第２の設定に関する情報の何れか一方を設定する場合、第１の上りリンク電力制御に基づいて上りリンク信号の送信電力を制御し、第１の設定に関する情報および第２の設定に関する情報を設定する場合、第１の設定に関する情報および第２の設定に関する情報に基づいて第１のサブフレームサブセットと第２のサブフレームサブセットを構成し、第１のサブフレームサブセットに含まれる上りリンクサブフレームで送信する上りリンク信号の送信電力を第１の上りリンク電力制御に基づいて設定し、第２のサブフレームサブセットに含まれる上りリンクサブフレームで送信する上りリンク信号の送信電力を第２の上りリンク電力制御に基づいて設定する。なお、第１の設定に関する情報および第２の設定に関する情報の詳細については後述する。
【０１３２】
図１０は、第２の実施形態の基本形態に係るフローチャートである。端末装置２は、第１の条件を識別する（ステップＳ１００１）。条件Ａの場合、端末装置２は、全ての上りリンクサブフレームに対して第１の上りリンク電力制御を行なう（ステップＳ１００２）。条件Ｂの場合、さらに、第２の条件を識別する（Ｓ１００３）。条件Ｂ１の場合、端末装置２は、第１のサブフレームサブ不セットに含まれる上りリンクサブフレームに対して第１の上りリンク電力制御を行なう（Ｓ１００４）。条件Ｂ２の場合、端末装置２は、第２のサブフレームサブセットに含まれる上りリンクサブフレームに対して第２の上りリンク電力制御を行なう（ステップＳ１００５）。ここで、条件Ａとは、第１の設定に関する情報または第２の設定に関する情報のうち、何れか一方を設定している場合であり、条件Ｂとは、第１の設定に関する情報および第２の設定に関する情報を設定している場合である。さらに、条件Ｂ１は、第１のサブフレームサブセットの上りリンクサブフレームに対する上りリンク電力制御を設定している場合であり、条件Ｂ２は、第２のサブフレームサブセットの上りリンクサブフレームに対する上りリンク電力制御を設定している場合である。ここで、第１のサブフレームサブセットと第２のサブフレームサブセットは、第１の設定に関する情報および第２の設定に関する情報から構成されてもよい。
【０１３３】
上りリンク電力制御のための新たな制御情報フィールドが下りリンク制御情報フォーマットに設定される場合、第２の実施形態では、特定のサブフレームに対する送信に対してのみ設定される。つまり、第１の上りリンク電力制御では、下りリンク制御情報フォーマットに新たな制御情報フィールドは設定されない。第１の設定に関する情報および第２の設定に関する情報を設定する端末装置２に対して第１のサブフレームサブセットに含まれる上りリンクサブフレームに対応する下りリンク制御情報フォーマットに、新たな制御情報フィールドは設定されない。また、第１の設定に関する情報および第２の設定に関する情報を設定する端末装置２に対して第２のサブフレームサブセットに含まれる上りリンクサブフレームに対応する下りリンク制御情報フォーマットに、新たな制御情報フィールドが設定されてもよい。
【０１３４】
（第２の実施形態の変形例１）
次に、第２の実施形態の変形例１について説明する。第２の実施形態の変形例１では、基地局装置は、第１の設定に関する情報および／または第２の設定に関する情報を端末装置２へ送信する。端末装置２は、第１の設定に関する情報および第２の設定に関する情報を設定すると、第１のサブフレームサブセットに含まれる上りリンクサブフレームで上りリンク信号を送信するための上りリンクグラント（下りリンク制御情報フォーマット）に設定される送信電力制御（TPC: Transmit Power Control）コマンドに関するフィールドを第１のＴＰＣコマンドに関するフィールドであると認識し、受信処理を行ない、第２のサブフレームサブセットに含まれる上りリンクサブフレームで上りリンク信号を送信するための上りリンクグラント（下りリンク制御情報フォーマット）に設定される送信電力制御（TPC: Transmit Power Control）コマンドに関するフィールドを第２のＴＰＣコマンドに関するフィールドであると認識し、受信処理を行なう。端末装置２は、受信処理によって得られた電力補正値に基づいて上りリンク信号の送信電力を設定する。
【０１３５】
ここで第２の実施形態の基本形態に基づいて説明すると、端末装置２は、第１の設定に関する情報または第２の設定に関する情報のうち、何れか一方のみを設定する場合には、全ての上りリンクサブフレームに対して、第１のＴＰＣコマンドに関するフィールドに基づいて設定する。また、端末装置２は、第１の設定に関する情報および第２の設定に関する情報を設定する場合には、第１のサブフレームサブセットに含まれる上りリンクサブフレームで送信する上りリンク信号の送信電力を第１のＴＰＣコマンドに関するフィールドに基づいて設定し、第２のサブフレームサブセットに含まれる上りリンクサブフレームで送信する上りリンク信号の送信電力を第２のＴＰＣコマンドに関するフィールドに基づいて設定する。なお、第１のＴＰＣコマンドと第２のＴＰＣコマンドについては、第１の実施形態の変形例１と同様であるため、ここでの説明は省略する。
【０１３６】
アキュムレーション送信電力制御をサブフレームサブセット毎に行なう場合、それぞれのサブフレームサブセットに対応するＤＣＩフォーマットのＴＰＣコマンドで独立に設定されてもよい。例えば、第１のサブフレームサブセットに対応するＤＣＩフォーマットのＴＰＣコマンドフィールドと第２のサブフレームサブセットに対応するＤＣＩフォーマットのＴＰＣコマンドフィールドは異なる大きさ（ビットサイズ）であってもよい。この際、ＤＣＩフォーマットのビットサイズ自体は第１のサブフレームサブセットと第２のサブフレームサブセットで同じであってもよい。また、ＴＰＣコマンドフィールドが拡張された分だけ、ＤＣＩフォーマットも拡張されてもよい。
【０１３７】
（第２の実施形態の変形例２）
次に、第２の実施形態の変形例２について説明する。第２の実施形態の変形例２では、基地局装置１は、第１の設定に関する情報および／または第２の設定に関する情報を端末装置２へ送信する。また、基地局装置１は、所定の電力オフセットに関する情報を端末装置２へ送信する。端末装置２は、第１の設定に関する情報および第２の設定に関する情報を受信する場合、所定の電力オフセットに関する情報を受信していれば、第２のサブフレームサブセットに含まれる上りリンクサブフレームで送信する上りリンク信号の送信電力は所定の電力オフセットに基づいて設定する。なお、所定の電力オフセットに関する情報を受信していない場合、端末装置２は、第１のサブフレームサブセットおよび第２のサブフレームサブセットに含まれる上りリンクサブフレームで送信する上りリンク信号の送信電力を所定の電力オフセットを考慮せずに設定する。例えば、所定の電力オフセットとは、第１のサブフレームサブセットと第２のサブフレームサブセットで送信される上りリンク信号の送信電力の電力比である。また、所定の電力オフセットとは、第１のサブフレームサブセットと第２のサブフレームサブセットで送信される上りリンク信号の送信電力の電力差であってもよい。
【０１３８】
ここで第２の実施形態の基本形態に基づいて説明すると、第１の設定に関する情報または第２の設定に関する情報の何れか一方のみを設定すると、全ての上りリンクサブフレームに対して、所定の電力オフセットを考慮せずに、上りリンク信号の送信電力を設定し、端末装置２は、第１の設定に関する情報および第２の設定に関する情報を設定すると、第１のサブフレームサブセットに含まれる上りリンクサブフレームで送信する上りリンク信号の送信電力を所定の電力オフセットを考慮せずに設定し、第２のサブフレームサブセットに含まれる上りリンクサブフレームで送信する上りリンク信号の送信電力を所定の電力オフセットに基づいて設定する。
【０１３９】
なお、所定の電力オフセット以外の上りリンク電力制御に関する情報（パラメータ）は第１のサブフレームサブセットと第２のサブフレームサブセットで共通であってもよい。つまり、所定の電力オフセット以外のパラメータについては、同じ上りリンク電力制御に関する情報に基づいて設定してもよい。
【０１４０】
さらに別の例として、第２の実施形態の基本形態に基づいて説明すると、第１の設定に関する情報または第２の設定に関する情報の何れか一方のみを設定すると、全ての上りリンクサブフレームに対する上りリンクに関連する下りリンク制御情報フォーマット（例えば、ＤＣＩフォーマット０）に、所定の電力オフセットを適用するか否かを指示するフィールドが追加されない、端末装置２は、第１の設定に関する情報および第２の設定に関する情報を設定すると、第１のサブフレームサブセットに含まれる上りリンクサブフレームに対する上りリンクに関連する下りリンク制御情報フォーマット（例えば、ＤＣＩフォーマット０）に、所定の電力オフセットを適用するか否かを指示するフィールドが追加されない、第２のサブフレームサブセットに含まれる上りリンクサブフレームに対する上りリンクに関連する下りリンク制御情報フォーマット（例えば、ＤＣＩフォーマット０）に、所定の電力オフセットを適用するか否かを指示するフィールドが追加されたと認識することもできる。端末装置２は、ＤＣＩフォーマットで上りリンク電力オフセットを適用すると指示される場合、上りリンク電力オフセットを考慮して上りリンク信号の送信電力を設定する。なお、所定の電力オフセットは、フレキシブルサブフレームに相当するサブフレームで上りリンク信号を送信する場合にのみ適用されてもよい。ここで、第１の設定に関する情報および第２の設定に関する情報がそれぞれ、同じサブフレーム（１つのサブフレーム）に対して上りリンクサブフレームと下りリンクサブフレーム、または、下りリンクサブフレームとスペシャルサブフレーム、または、上りリンクサブフレームとスペシャルサブフレームのように、異なる種類のサブフレームが設定される場合、そのようなサブフレームをフレキシブルサブフレームと呼称する場合もある。つまり、フレキシブルサブフレームは、状況に応じて、異なる種類のサブフレームとして処理可能なサブフレームのことである。
【０１４１】
（第２の実施形態の変形例３）
次に、第２の実施形態の変形例３について説明する。第２の実施形態の変形例３では、基地局装置１は、第１の設定に関する情報および／または第２の設定に関する情報を端末装置２へ送信する。また、基地局装置１は、第１の上りリンク電力制御に関する情報および／または第２の上りリンク電力制御に関する情報を端末装置２へ送信する。端末装置２は、第１の設定に関する情報および第２の設定に関する情報を受信し、設定する場合、第１の上りリンク電力制御に関する情報および第２の上りリンク電力制御に関する情報を受信していれば、第１のサブフレームサブセットに含まれる上りリンクサブフレームで送信する上りリンク信号の送信電力は第１の上りリンク電力制御に関する情報に基づいて設定し、第２のサブフレームサブセットに含まれる上りリンクサブフレームで送信する上りリンク信号の送信電力は第２の上りリンク電力制御に関する情報に基づいて設定する。なお、第１の上りリンク電力制御に関する情報または第２の上りリンク電力制御に関する情報の何れか一方のみ受信し、設定している場合、端末装置２は、第１のサブフレームサブセットおよび第２のサブフレームサブセットに含まれる上りリンクサブフレームで送信する上りリンク信号の送信電力を受信した上りリンク電力制御に関する情報に基づいて設定する。つまり、全ての上りリンクサブフレームに対して、１つの上りリンク電力制御に関する情報に基づいて上りリンク信号の送信電力を設定する。この際、第１の上りリンク電力制御に関する情報および第２の上りリンク電力制御に関する情報を受信し、設定している場合には、何れか一方の上りリンク電力制御に関する情報に基づいて上りリンク信号の送信電力を設定する。なお、第１の上りリンク電力制御に関する情報および第２の上りリンク電力制御に関する情報については第１の実施形態の変形例３で示したものと同様であるため、ここでの説明を省略する。
【０１４２】
ここで第２の実施形態の基本形態に基づいて説明すると、端末装置２は、第１の設定に関する情報および第２の設定に関する情報を設定すると、第１のサブフレームサブセットに含まれる上りリンクサブフレームで送信する上りリンク信号の送信電力を第１の上りリンク電力制御に関する情報に基づいて設定し、第２のサブフレームサブセットに含まれる上りリンクサブフレームで送信する上りリンク信号の送信電力を第２の上りリンク電力制御に関する情報に基づいて設定する。
【０１４３】
なお、第２の上りリンク電力制御に関する情報に含まれていないパラメータがある場合には、第１の上りリンク電力制御に関する情報に含まれるパラメータを用いて上りリンク信号の送信電力を設定してもよい。なお、第２の上りリンク電力制御に関する情報に、サブフレーム（またはサブフレームサブセット）間の電力オフセットに関するパラメータが含まれてもよい。
【０１４４】
第２の実施形態の変形例３では、基地局装置１は、第１の設定に関する情報および／または第２の設定に関する情報を端末装置２へ送信する。また、基地局装置１は、第１の上りリンク電力制御に関する情報および／または第２の上りリンク電力制御に関する情報を端末装置２へ送信する。端末装置２は、第１の設定に関する情報および第２の設定に関する情報を設定すると、端末装置２は、第１の設定に関する情報と第２の設定に関する情報に基づいて、第１のサブフレームサブセットと第２のサブフレームサブセットを構成することができる。さらに、端末装置２は、第１の上りリンク電力制御に関する情報および第２の上りリンク電力制御に関する情報を設定すると、第１のサブフレームサブセットに含まれる上りリンクサブフレームで上りリンク信号を送信する場合、第１の上りリンク電力制御に関する情報に基づいて上りリンク信号の送信電力を設定し、第２のサブフレームサブセットに含まれる上りリンクサブフレームで上りリンク信号を送信する場合、第２の上りリンク電力制御に関する情報に基づいて上りリンク信号の送信電力を設定する。
【０１４５】
さらに別の例として、第２の実施形態の基本形態に基づいて説明すると、第１の設定に関する情報または第２の設定に関する情報の何れか一方のみを設定すると、全ての上りリンクサブフレームに対する上りリンクに関連する下りリンク制御情報フォーマット（例えば、ＤＣＩフォーマット０）に、第１の上りリンク電力制御に関する情報と第２の上りリンク電力制御に関する情報の切り替えを指示するフィールドが追加されない、端末装置２は、第１の設定に関する情報および第２の設定に関する情報を設定すると、第１のサブフレームサブセットに含まれる上りリンクサブフレームに対する上りリンクに関連する下りリンク制御情報フォーマット（例えば、ＤＣＩフォーマット０）に、第１の上りリンク電力制御に関する情報と第２の上りリンク電力制御に関する情報の切り替えを指示するフィールドが追加されない、第２のサブフレームサブセットに含まれる上りリンクサブフレームに対する上りリンクに関連する下りリンク制御情報フォーマット（例えば、ＤＣＩフォーマット０）に、第１の上りリンク電力制御に関する情報と第２の上りリンク電力制御に関する情報の切り替えを指示するフィールドが追加されたと認識することもできる。
【０１４６】
なお、第２の実施形態の変形例３において、サブフレームサブセット毎にＴＰＣコマンドによる送信電力制御（アキュムレーション送信電力制御、アブソリュート送信電力制御）を行なってもよい。その際、各サブフレームサブセットにおけるアキュムレーション送信電力制御は、各サブフレームサブセットに対応する上りリンク電力制御に関する情報に含まれる端末装置毎に設定される物理チャネル（ＰＵＳＣＨ、ＰＵＣＣＨ）の電力が再設定される場合、アキュムレーションによる累積値（積算値）も初期化されてもよい。また、各サブフレームサブセットに含まれる上りリンクサブフレームに対応する下りリンクサブフレームでランダムアクセスレスポンスメッセージを受信する場合、各サブフレームサブセットに対応するアキュムレーションの累積値を初期化してもよい。
【０１４７】
（第２の実施形態の変形例４）
次に、第２の実施形態の変形例４について説明する。第２の実施形態の変形例４では、基地局装置１は、第１の設定に関する情報および／または第２の設定に関する情報を端末装置２へ送信する。また、基地局装置１は、第１の設定に関する情報および第２の設定に関する情報が設定可能な端末装置２に対しては、拡張したＴＰＣコマンドに対する電力補正値が設定されたＤＣＩフォーマット（ＤＣＩフォーマット３Ｂ）をＰＤＣＣＨ／ＥＰＤＣＣＨに配置して送信することができる。端末装置２は、第１の設定に関する情報または第２の設定に関する情報のうち、何れか一方のみを設定している場合、拡張前のＴＰＣコマンドが設定されているＤＣＩフォーマット（ＤＣＩフォーマット３／３Ａ）として受信処理し、ＤＣＩフォーマット３／３Ａに基づいて上りリンク信号の送信電力制御を行ない、第１の設定に関する情報および第２の設定に関する情報を設定している場合、第１のサブフレームサブセットに含まれる上りリンクサブフレームに対しては、ＤＣＩフォーマット３／３Ａに基づいて上りリンク信号の送信電力制御を行ない、第２のサブフレームサブセットに含まれる上りリンクサブフレームに対しては、拡張後のＴＰＣコマンドが設定されるＤＣＩフォーマット（ＤＣＩフォーマット３Ｂ）に基づいて上りリンク信号の送信電力制御を行なう。ＤＣＩフォーマット３Ｂの定義は、第１の実施形態の変形例４と同様であるため、ここでの説明は省略する。
【０１４８】
上記各実施形態において、基地局装置１は、サブフレームサブセットを構成するためのサブフレーム設定に関する情報を端末装置２へ送信する。また、基地局装置１は、上りリンク電力制御に関する情報を端末装置２へ送信する。端末装置２は、サブフレーム設定に関する情報に基づいて２つのサブフレームサブセットを構成する。また、端末装置２は、上りリンク電力制御に関する情報に基づいて、第１のサブフレームサブセットの上りリンクサブフレームで上りリンク信号を送信する場合には、第１の上りリンク電力制御を行ない、第２のサブフレームサブセットの上りリンクサブフレームで上りリンク信号を送信する場合には、第２の上りリンク電力制御を行なう。
【０１４９】
上記各実施形態で、基地局装置１は、サブフレームサブセットを構成するためのサブフレーム設定に関する情報を端末装置２へ送信してもよい。また、基地局装置１は、上りリンク電力制御に関する情報を端末装置２へ送信する。端末装置２は、サブフレーム設定に関する情報に基づいて２つのサブフレームサブセットを構成する。また、端末装置２は、上りリンク電力制御に関する情報に基づいて、第１のサブフレームサブセットの上りリンクサブフレームで上りリンク信号を送信する場合には、第１の上りリンク電力制御を行ない、第２のサブフレームサブセットの上りリンクサブフレームで上りリンク信号を送信する場合には、第２の上りリンク電力制御を行なう。
【０１５０】
上記各実施形態において、端末装置２は、第１の設定に関する情報および第２の設定に関する情報に基づいて、第１のサブフレームサブセットと第２のサブフレームサブセットを構成してもよい。ここで、第１のサブフレームサブセットとは、第１の設定に関する情報および第２の設定に関する情報において、同じサブフレームで同じ種類のサブフレーム（上りリンクサブフレームと上りリンクサブフレーム、下りリンクサブフレームと下りリンクサブフレーム、スペシャルサブフレームとスペシャルサブフレーム）が設定されるサブフレームのセットのことであり、第２のサブフレームサブセットとは、第１の設定に関する情報および第２の設定に関する情報において、同じサブフレームで異なる種類のサブフレーム（下りリンクサブフレームと上りリンクサブフレーム、下りリンクサブフレームとスペシャルサブフレーム、上りリンクサブフレームとスペシャルサブフレーム）が設定されるサブフレームのセットのことである。例えば、第１の設定に関する情報と第２の設定に関する情報は、ＴＤＤ  ＵＬ／ＤＬ設定に基づいて設定されてもよい。
【０１５１】
なお、第１の設定に関する情報および第２の設定に関する情報に基づいて、第１のサブフレームサブセットおよび第２のサブフレームサブセットを構成する場合、上記の設定方法の他に、第１の設定に関する情報と第２の設定に関する情報の何れか一方に、ＴＤＤ  ＵＬ／ＤＬ設定に関する情報が含まれ、もう一方の情報には、フレキシブルサブフレームを指示する情報または固定サブフレームを指示する情報が含まれて設定される方法がある。なお、固定サブフレームを指示する情報とは、第１の設定に関する情報において、フレキシブルサブフレームとして処理しないサブフレームを指示する情報である。
【０１５２】
なお、第１の設定に関する情報と第２の設定に関する情報と、が同じ（または同じ設定を示す）場合、複数のサブフレームサブセットは構成されなくてもよい。
【０１５３】
端末装置２は、物理チャネルの種類に応じて送信する物理チャネル／物理信号の優先度が設定または事前に定義されてもよい。
【０１５４】
なお、上記各実施形態では、端末装置２は、第２の下りリンク参照信号に基づく受信電力の測定結果を基地局装置１へ報告してもよい。端末装置２は、その報告を周期的に行なってもよい。また、端末装置２は、その報告をある条件を満たした場合に行なってもよい。
【０１５５】
なお、上記各実施形態では、端末装置２は、第２の下りリンク参照信号に基づく受信電力を測定する場合、その受信電力に基づいて上りリンク信号の送信電力制御を行なってもよい。また、端末装置２は、下りリンクパスロスをその受信電力に基づいて決定してもよい。
【０１５６】
なお、上記各実施形態では、端末装置２は、第１の上りリンク参照信号および／または第２の上りリンク参照信号の送信電力を含む種々の上りリンク信号の送信電力の合計が端末装置２に設定される最大送信電力を超える場合、第１の上りリンク参照信号および／または第２の上りリンク参照信号を送信しなくてもよい。
【０１５７】
なお、上記各実施形態は、組み合わせて実現してもよい。例えば、第１の実施形態の変形例１と第１の実施形態の変形例３を組み合わせてもよい。第２の実施形態の変形例１と第２の実施形態の変形例３を組み合わせてもよい。
【０１５８】
なお、上記各実施形態では、実際に上りリンク信号を送信するサブフレームおよび／または下りリンク信号を受信するサブフレームを第１の設定に関する情報および第２の設定に関する情報とは独立に設定される情報（例えば、第３の設定に関する情報）に基づいて設定されてもよい。
【０１５９】
なお、上記各実施形態では、第１の設定に関する情報および／または第２の設定に関する情報は、システムインフォメーションブロックタイプ１（ＳＩＢ１）またはＲＲＣメッセージで通知されてもよい。また、第１の設定に関する情報と第２の設定に関する情報は、同じＳＩＢ１またはＲＲＣメッセージで通知されてもよい。
【０１６０】
なお、上記各実施形態では、第１の設定に関する情報および第２の設定に関する情報は、同じＲＲＣメッセージまたは同じシステムインフォメーションまたは同じ情報要素に設定されてもよい。また、第１の設定に関する情報および第２の設定に関する情報は、異なるＲＲＣメッセージまたは異なるシステムインフォメーションまたは異なる情報要素に設定されてもよい。また、第１の設定に関する情報と第２の設定に関する情報は、異なるパラメータとして独立に設定される。
【０１６１】
ここで、上記各実施形態において、第１の設定に関する情報がシステムインフォメーションブロックタイプ１（ＳＩＢ１）またはＲＲＣメッセージで通知されるＴＤＤ  ＵＬ／ＤＬ設定である場合、第２の設定に関する情報は、追加ＴＤＤ  ＵＬ／ＤＬ設定（第２のＴＤＤ  ＵＬ／ＤＬ設定）であってもよい。また、第２の設定に関する情報は、フレキシブルサブフレームを指示する情報（flexible subframe pattern）であってもよい。また、第２の設定に関する情報は、固定サブフレームを指示する情報（fixed subframe pattern）であってもよい。また、第２の設定に関する情報は、リリース１２（Release12, r12）またはヴァージョン１２（version12, v12）に関する情報であってもよい。また、第２の設定に関する情報は、前述した第１のサブフレームサブセットに対応するサブフレームパターンを指示する情報であってもよい。また、第２の設定に関する情報は、前述した第２のサブフレームサブセットに対応するサブフレームパターンを指示する情報であってもよい。また、第２の設定に関する情報は、フレキシブルサブフレームに対するＴＰＣコマンドを伴うＰＤＣＣＨ／ＥＰＤＣＣＨ（ＤＣＩフォーマット）が割り当て可能なサブフレームパターンを指示する情報であってもよい。また、第２の設定に関する情報は、ＣＲＳが受信可能なサブフレームのパターンを指示する情報であってもよい。また、第２の設定に関する情報は、ＣＳＩ−ＲＳが受信可能なサブフレームのパターンを指示する情報であってもよい。また、第２の設定に関する情報は、チャネル状態情報（ＣＳＩ、ＣＱＩ、ＰＭＩ、ＲＩ）の報告が可能なサブフレームのパターン（セット）を指示する情報であってもよい。また、第２の設定に関する情報は、プライマリーセルでの測定（受信電力ＲＳＲＰ、受信品質ＲＳＲＱ、無線リンクモニタリング）に対して時間領域での測定を制限するサブフレームのパターンを指示する情報であってもよい。つまり、第２の設定に関する情報は、測定を行なうサブフレームのパターンを指示する情報であってもよい。また、第２の設定に関する情報は、隣接セルでの測定に対して時間領域での測定を制限するサブフレームのパターンを指示する情報であってもよい。また、第２の設定に関する情報は、セカンダリーセルでの測定に対して時間領域での測定を制限するサブフレームのパターンを指示する情報であってもよい。また、第２の設定に関する情報は、測定サブフレームパターンに基づいて設定されてもよい。また、第２の設定に関する情報は、下りリンク信号が受信可能なサブフレームのパターンを指示する情報であってもよい。また、第２の設定に関する情報は、追加可能な情報であってもよい。また、第１の設定に関する情報は、第２のセル（セカンダリーセル）で物理上りリンク制御チャネルの送信可否に関する情報であってもよい。また、第２の設定に関する情報は、あるチャネル状態情報（ＣＳＩ、ＣＱＩ、ＰＭＩ、ＲＩ）の報告に関連付けられたサブフレームのパターン（セット）を指示する情報であってもよい。また、第２の設定に関する情報は、第２の設定とは異なるあるチャネル状態情報（ＣＳＩ、ＣＱＩ、ＰＭＩ、ＲＩ）の報告に関連付けられたサブフレームのパターン（セット）を指示する情報とは別に設定された情報あってもよい。つまり、第３の設定と第４の設定が、第２の設定とは別に設定され、そのいずれもが第２の設定と同様にサブフレームのパターン（セット）を指示する情報であっても良い。つまり、第３の設定と第４の設定が、第２の設定とは別に設定され、そのいずれもがあるチャネル状態情報（ＣＳＩ、ＣＱＩ、ＰＭＩ、ＲＩ）の報告に関連付けられたサブフレームのパターン（セット）を指示する情報とは別に設定された情報あってもよい。またその報告は、関連付けられたサブフレームパターン（セット）に含まれるＣＳＩ-ＲＳおよび、またはゼロパワーＣＳＩ−ＲＳおよび、またはＣＳＩ−ＩＭリソースに基づいて算出されたチャネル状態情報（ＣＳＩ、ＣＱＩ、ＰＭＩ、ＲＩ）であってもよい。同様の事が、前述の全ての第ｎの設定に適用されても良い。また前記第２の設定が複数設定され、そのいずれかに基づいて、第１の上りリンク電力制御と第２の上りリンク電力制御が切り替えられても良い。すなわち第２の設定に関する情報は、追加ＴＤＤ  ＵＬ／ＤＬ設定（第２のＴＤＤ  ＵＬ／ＤＬ設定）であり、さらにあるチャネル状態情報（ＣＳＩ、ＣＱＩ、ＰＭＩ、ＲＩ）の報告に関連付けられたサブフレームのパターン（セット）を指示する情報が設定されても良い。なお、第２の設定に関する情報は、システムで一意に決定されてもよい。また、第２の設定に関する情報は、共有情報またはシステム情報として報知されてもよい。また、第２の設定に関する情報は、端末装置固有の専用情報として端末装置２毎に個別に通知されてもよい。第２の設定に関する情報を設定できるか否かを示す情報（UE capability）が端末装置２から基地局装置１へ通知されてもよい。
【０１６２】
ここで、第１の設定に関する情報および／または第２の設定に関する情報は、ビットマップで設定されてもよい。さらにそのビットマップは、４０ビットもしくは８０ビットで構成されていても良い。
【０１６３】
ここで、第１の設定に関する情報および／または第２の設定に関する情報は、テーブルに基づいて上りリンクサブフレーム、下りリンクサブフレーム、スペシャルサブフレームの構成をインデックス（またはインデックスを表す情報ビット、ビット系列）で指定されてもよい。例えば、テーブルとは、ＴＤＤ  ＵＬ／ＤＬ設定（TDD UL/DL configurations）であってもよい。ＴＤＤ  ＵＬ／ＤＬ設定を表すテーブルは図３のように構成されてもよい。
【０１６４】
なお、上記各実施形態では、第２の設定に関する情報は、追加ＴＤＤ  ＵＬ／ＤＬ設定（第２のＴＤＤ  ＵＬ／ＤＬ設定）であってもよい。また、第２の設定に関する情報とは、ブランクサブフレームを指示する情報であってもよい。また、第２の設定に関する情報は、フレキシブルサブフレームを指示する情報（flexible subframe pattern）であってもよい。また、第２の設定に関する情報は、固定サブフレームを指示する情報（fixed subframe pattern）であってもよい。このとき、上りリンク参照ＵＬ−ＤＬ設定と下りリンク参照ＵＬ−ＤＬ設定は、テーブルなどを用いて、第１の設定に関する情報と第２の設定に関する情報から算出されてもかまわない。言い換えると、第１の設定に関する情報と第２の設定に関する情報に加え、第３の設定に関する情報としてテーブルなどを用いて、上りリンク参照ＵＬ−ＤＬ設定と下りリンク参照ＵＬ−ＤＬ設定を決定してもよい。
【０１６５】
なお、上記各実施形態では、基地局装置１または端末装置２は、第１の設定に関する情報と第２の設定に関する情報のうち、一方を上りリンク参照ＵＬ−ＤＬ設定として設定し、もう一方を下りリンク参照ＵＬ−ＤＬ設定として設定してもよい。例えば、端末装置２は、第１の設定に関する情報と第２の設定に関する情報の２つを受信してから上りリンク参照ＵＬ−ＤＬ設定と下りリンク参照ＵＬ−ＤＬ設定に設定してもよい。なお、上りリンクに関連するＤＣＩフォーマット（例えば、ＤＣＩフォーマット０／４）は、上りリンク参照ＵＬ−ＤＬ設定で設定されている下りリンクサブフレームで送信されてもよい。
【０１６６】
また、上りリンク参照ＵＬ−ＤＬ設定と下りリンク参照ＵＬ−ＤＬ設定は同じテーブルを使用してそれぞれ設定されてもよい。ただし、同じテーブルに基づいて上りリンク参照ＵＬ−ＤＬ設定と下りリンク参照ＵＬ−ＤＬ設定のインデックスが設定される場合、上りリンク参照ＵＬ−ＤＬ設定と下りリンク参照ＵＬ−ＤＬ設定は異なるインデックスで設定されることが好ましい。つまり、上りリンク参照ＵＬ−ＤＬ設定と下りリンク参照ＵＬ−ＤＬ設定は、異なるサブフレームパターンが設定されることが好ましい。
【０１６７】
上記各実施形態では、第１の設定に関する情報および第２の設定に関する情報がともにＴＤＤ  ＵＬ／ＤＬ設定である場合には、条件に応じて、何れか一方を上りリンク参照ＵＬ−ＤＬ設定に設定し、もう一方を下りリンク参照ＵＬ−ＤＬ設定に設定してもよい。なお、上りリンク参照ＵＬ−ＤＬ設定は、少なくとも物理下りリンク制御チャネルが配置されるサブフレームと前記物理下りリンク制御チャネルが対応する物理上りリンク共用チャネルが配置されるサブフレームとの対応を決定するために用いられ、実際の信号の送信方向（つまり、上りリンクまたは下りリンク）とは異なっても構わない。下りリンク参照ＵＬ−ＤＬ設定は、少なくとも物理下りリンク共用チャネルが配置されるサブフレームと前記物理下りリンク共用チャネルに対応するＨＡＲＱ−ＡＣＫが送信されるサブフレームとの対応を決定するために用いられ、実際の信号の送信方向（つまり、上りリンクまたは下りリンク）とは異なっても構わない。すなわち、上りリンク参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する上りリンク参照ＵＬ−ＤＬ設定およびセカンダリーセルに対する上りリンク参照ＵＬ−ＤＬ設定が同じ場合は、２つのサービングセルのそれぞれにおいて、対応する上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。また、下りリンク参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する下りリンク参照ＵＬ−ＤＬ設定およびセカンダリーセルに対する下りリンク参照ＵＬ−ＤＬ設定が同じ場合は、２つのサービングセルのそれぞれにおいて、対応する下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１６８】
また、端末装置２は、上りリンク送信参照用のＴＤＤ  ＵＬ／ＤＬ設定（第１のＴＤＤ  ＵＬ／ＤＬ設定）と下りリンク送信参照用のＴＤＤ  ＵＬ／ＤＬ設定（第２のＴＤＤ  ＵＬ／ＤＬ設定）が設定され、さらに、上りリンク送信電力制御に関する情報が設定されると、第１のＴＤＤ  ＵＬ／ＤＬ設定と第２のＴＤＤ  ＵＬ／ＤＬ設定で同じ種類のサブフレームが設定されている場合には、そのサブフレームの上りリンク電力制御は第１の上りリンク電力制御に基づいて行なわれ、第１のＴＤＤ  ＵＬ／ＤＬ設定と第２のＴＤＤ  ＵＬ／ＤＬ設定で異なる種類のサブフレームが設定されている場合には、そのサブフレームの上りリンク電力制御は第２の送信電力制御に基づいて行なわれる。
【０１６９】
端末装置２は、第２の設定に関する情報として、第２のＴＤＤ  ＵＬ／ＤＬ設定（例えば、tdd-Config-v12, tdd-Config-r12, tdd-ConfigULreference-v12,tdd-ConfigDLreference-r12）がパラメータとして設定／追加される場合、第１のＴＤＤ  ＵＬ／ＤＬ設定に基づいて上りリンク信号を送信し、第２のＴＤＤ  ＵＬ／ＤＬ設定に基づいて下りリンク信号を受信してもよい。あるサブフレームにおいて、上りリンク信号の送信と下りリンク信号の受信が生じる場合、送信方向設定情報（第３の設定に関する情報）に基づいて、どちらを優先するか決定してもよい。
【０１７０】
なお、上記各実施形態では、第１の設定に関する情報および／または第２の設定に関する情報は、ＴＤＤ  ＵＬ／ＤＬ設定（TDD UL/DL configuration, TDD configuration, tdd-Config,uplink-downlink configuration(s)）であってもよい。また、第１の設定に関する情報および／または第２の設定に関する情報は、ビットマップによって示されるサブフレームパターンであってもよい。また、第１の設定に関する情報と第２の設定に関する情報のうち、何れか一方が上りリンクサブフレームを指示する情報であり、もう一方が下りリンクサブフレームを指示する情報であってもよい。これらの指示情報は、テーブルで定義されてもよいし、ビットマップで定義されてもよい。
【０１７１】
なお、基地局装置１は、第１の設定に関する情報および第２の設定に関する情報が設定可能な端末装置２に対しては、第１の設定に関する情報または第２の設定に関する情報のうち、何れか一方で上りリンクサブフレームを指示し、もう一方で下りリンクサブフレームを指示してもよい。また、端末装置２は、第１の設定に関する情報または第２の設定に関する情報のうち何れか一方のみを設定する場合、指示されたサブフレーム以外のサブフレームを異なる種類のサブフレームと認識し、送受信処理を行なう。例えば、第１の設定に関する情報で上りリンクサブフレーム、第２の設定に関する情報で下りリンクサブフレームが指示される場合、第１の設定に関する情報のみを設定する端末装置２は、第１の設定に関する情報に基づいて指示される上りリンクサブフレーム以外のサブフレームを下りリンクサブフレームまたはスペシャルサブフレームと認識し、受信処理／送信処理を行なう。また、第２の設定に関する情報のみを設定する端末装置２は、第２の設定に関する情報に基づいて指示される下りリンクサブフレーム以外のサブフレームを上りリンクサブフレームまたはスペシャルサブフレームと認識し、送信処理／受信処理を行なう。なお、第１の設定に関する情報および第２の設定に関する情報で、同じサブフレームに対して上りリンクサブフレームおよび下りリンクサブフレームを指示してもよい。
【０１７２】
例えば、端末装置２は、第１の設定に関する情報および第２の設定に関する情報が設定される場合には、第１の設定に関する情報に基づいて上りリンク信号の送信を行ない、第２の設定に関する情報に基づいて下りリンク信号の受信を行なってもよい。また、端末装置２は、第１の設定に関する情報および第２の設定に関する情報が設定される場合には、第１の設定に関する情報に基づいて下りリンク信号の受信を行ない、第２の設定に関する情報に基づいて上りリンク信号の送信を行なってもよい。どちらの設定情報に基づいて上りリンク信号の送信および下りリンク信号の受信を行なうかは第３の設定に関する情報に基づいて決定してもよい。
【０１７３】
ここで、第１の設定に関する情報がＴＤＤ  ＵＬ／ＤＬ設定だとすると、第２の設定に関する情報は、フレキシブルサブフレームを指示する情報であってもよい。なお、第２の設定に関する情報は、テーブル管理されてもよい。また、第２の設定に関する情報は、ビットマップによってフレキシブルサブフレームとして設定するサブフレームを指示する情報であってもよい。
【０１７４】
なお、上記各実施形態では、フレキシブルサブフレームは、上りリンクサブフレームであり、下りリンクサブフレームであるサブフレームのことである。また、フレキシブルサブフレームは、下りリンクサブフレームであり、スペシャルサブフレームであるサブフレームのことである。また、フレキシブルサブフレームは、上りリンクサブフレームであり、スペシャルサブフレームであるサブフレームのことである。つまり、フレキシブルサブフレームは、第１のサブフレームであり、第２のサブフレームであるサブフレームのことである。例えば、また、フレキシブルサブフレームとして設定されるサブフレームは、条件１の場合、第１のサブフレーム（例えば、上りリンクサブフレーム）として処理され、条件２の場合、第２のサブフレーム（例えば、下りリンクサブフレーム）として処理される。
【０１７５】
なお、フレキシブルサブフレームは、第１の設定に関する情報および第２の設定に関する情報に基づいて設定されてもよい。例えば、あるサブフレームｉに対して第１の設定に関する情報では上りリンクサブフレーム、第２の設定に関する情報では下りリンクサブフレームとして設定された場合、サブフレームｉはフレキシブルサブフレームとなる。フレキシブルサブフレームは、フレキシブルサブフレームのサブフレームパターンを指示する情報に基づいて設定されてもよい。
【０１７６】
また、上記各実施形態では、第１の設定に関する情報および第２の設定に関する情報は、２つのＴＤＤ  ＵＬ／ＤＬ設定ではなく、１つのＴＤＤ  ＵＬ／ＤＬ設定とフレキシブルサブフレームパターン（下りリンク候補サブフレームパターンまたは上りリンク候補サブフレームパターン、追加サブフレーム）であってもよい。端末装置２は、フレキシブルサブフレームパターンで示されるサブフレームインデックスにおいては、ＴＤＤ  ＵＬ／ＤＬ設定で上りリンクサブフレームと示されていてもそのサブフレームで上りリンク信号を送信することがなければ、下りリンク信号を受信することができるし、ＴＤＤ  ＵＬ／ＤＬ設定で下りリンクサブフレームと示されていても事前にそのサブフレームで上りリンク信号を送信することを指示されていれば、上りリンク信号を送信することができる。特定のサブフレームに対して上りリンク／下りリンク候補のサブフレームとして指示されてもよい。
【０１７７】
端末装置２は、第１の設定に関する情報および第２の設定に関する情報の両方が設定されると、ある条件に基づいて、何れか一方を上りリンクのためのサブフレームサブセットと認識し、もう一方を下りリンクのためのサブフレームサブセットと認識してもよい。ここで、上りリンクのためのサブフレームサブセットとは、ＰＵＳＣＨおよびＰＨＩＣＨの送信のために設定されるサブフレームのセットであり、下りリンクサブフレームサブセットとは、ＰＤＳＣＨおよびＨＡＲＱの送信のために設定されるサブフレームのセットである。ＰＵＳＣＨとＰＨＩＣＨのサブフレームの関連を示す情報とＰＤＳＣＨとＨＡＲＱのサブフレームの関連を示す情報が端末装置２に事前に設定されてもよい。つまり、第１の設定に関する情報または第２の設定に関する情報のうち、何れか一方を上りリンクサブフレームのサブフレームパターンを指示する情報であり、もう一方を下りリンクサブフレームのサブフレームパターンを指示する情報であってもよい。これらの情報は、ビットマップで設定されてもよい。
【０１７８】
なお、上記各実施形態では、第１の設定に関する情報および第２の設定に関する情報に基づいて、２つのサブフレームサブセットが構成される場合、ＴＰＣコマンドによる累積（アキュムレーション）送信電力制御および／または絶対（アブソリュート）送信電力制御は、サブフレームサブセット毎に独立に行なわれてもよい。例えば、端末装置２は、第３の設定に関する情報を受信すると、サブフレームサブセット毎にＴＰＣコマンドによる送信電力制御を行なう。ここで、アキュムレーション送信電力制御およびアブソリュート送信電力制御を閉ループ送信電力制御と呼称する場合もある。ここで、累積送信電力制御とは、過去に受信したＴＰＣコマンドに設定された電力補正値を考慮した電力補正を行なうことであり、絶対送信電力制御とは、直前に受信したＴＰＣコマンドによる電力補正値のみを考慮した電力制御である。ここで、ＴＰＣコマンドによるアブソリュート送信電力制御は、過去に受信したＴＰＣコマンドによる電力補正値を考慮せず、直前に受信したＴＰＣコマンドによる電力補正値のみを考慮して送信電力を制御する。アキュムレーション送信電力制御は、過去に受信したＴＰＣコマンドによる電力補正値を考慮して送信電力を制御する。
【０１７９】
また、種々の上りリンク信号のリソース割り当てが同じ場合、基地局装置１は、各上りリンク信号の信号系列の違いによって、種々の上りリンク信号を検出することができる。つまり、基地局装置１は、受信した上りリンク信号の信号系列の違いによって、各上りリンク信号を識別することができる。また、基地局装置１は、受信した上りリンク信号の信号系列に違いによって、自局宛ての送信か否かを判定することができる。
【０１８０】
さらに、端末装置２は、基地局装置１から第２の下りリンク参照信号による受信電力測定が指示された場合、その測定結果に基づいて下りリンクパスロスを算出し、上りリンク送信電力制御に用いてもよい。
【０１８１】
ここで、受信電力測定は、参照信号受信電力（RSRP:Reference Signal Received Power）測定や受信信号電力測定と呼称する場合もある。また、受信品質測定は、参照信号受信品質（RSRQ: Reference Signal Received Quality）測定や受信信号品質測定と呼称する場合もある。
【０１８２】
また、第２の下りリンク参照信号のリソース割り当て（Resourceallocation, mapping to resource elements, mapping to physical resources）は、周波数シフトされてもよい。第２の下りリンク参照信号の周波数シフトは、物理セルＩＤに基づいて決定されてもよい。また、第２の下りリンク参照信号の周波数シフトは、仮想セルＩＤに基づいて決定されてもよい。
【０１８３】
一例として、基地局装置１から端末装置２に対して、第２の下りリンク参照信号の受信電力測定を行なうか否かを指示する情報が通知される。端末装置２は、その指示情報が第２の下りリンク参照信号の受信電力測定を行なうことができると指示している場合、第２の下りリンク参照信号の受信電力測定を行なう。この時、端末装置２は、パラレルに第１の下りリンク参照信号の受信電力測定を行なってもよい。端末装置２は、その指示情報が第２の下りリンク参照信号の受信電力測定を行なうことができないと指示している場合、端末装置２は、第１の下りリンク参照信号のみの受信電力測定を行なう。さらに、この指示情報には、第２の下りリンク参照信号の受信品質測定を行なうか否かを指示する情報が含まれてもよい。また、第３の下りリンク参照信号は、この指示情報によらず、受信電力測定を行なってもよい。
【０１８４】
また、別の例として、基地局装置１から端末装置２に対して、第１の下りリンク参照信号の受信電力測定を行なうか第２の下りリンク参照信号の受信電力測定を行なうかを指示する情報が通知される。端末装置２は、その指示情報が第１の下りリンク参照信号の受信電力測定を行うことを指示している場合、第１の下りリンク参照信号の受信電力測定を行なう。端末装置２は、その指示情報が第２の下りリンク参照信号の受信電力測定を行なうことを指示している場合、第２の下りリンク参照信号の受信電力測定を行なう。つまり、この指示情報は、受信電力測定の切り替えを指示する情報である。また、この指示情報には、受信品質測定を行うか否かを指示する情報が含まれてもよい。この例では、この指示情報は、２つの下りリンク参照信号の受信電力測定の切り替えを指示する情報であることを述べたが、３つ以上の下りリンク参照信号の受信電力測定の切り替えを指示する情報であってもよい。また、第３の下りリンク参照信号は、この指示情報によらず、受信電力測定を行なってもよい。また、第２の下りリンク参照信号の送信電力および／または第３の下りリンク参照信号の送信電力は、第１の下りリンク参照信号の送信電力に基づいてセットされてもよい。例えば、第１の下りリンク参照信号と第２の下りリンク参照信号（または第３の下りリンク参照信号）間の電力の比（電力オフセット）が設定されてもよい。
【０１８５】
下りリンクの場合、第１のサブフレームサブセットに含まれる下りリンクサブフレームでは、電力オフセットを考慮せずに、下りリンク信号の受信電力測定を行ない、第２のサブフレームサブセットに含まれる下りリンクサブフレームでは、電力オフセットを考慮した下りリンク信号の受信電力測定を行なってもよい。この電力オフセットは、事前に基地局装置１より設定されてもよい。また、この電力オフセットは、下りリンクに関するＤＣＩフォーマットに設定されて指示されてもよい。
【０１８６】
なお、上記各実施形態において、第１の設定に関する情報および第２の設定に関する情報が設定される場合であっても複数のサブフレームサブセットが構成されなければ、アキュムレーション／アブソリュート送信電力制御は共通であってもよい。
【０１８７】
なお、上記各実施形態において、端末装置２において、フレキシブルサブフレームでは、フレキシブルサブフレームとして設定されていない上りリンクサブフレーム／下りリンクサブフレーム／スペシャルサブフレームとは異なる電力制御（上りリンク電力制御、下りリンク電力制御）を行なってもよい。また、フレキシブルサブフレームと上りリンクサブフレーム／下りリンクサブフレーム／スペシャルサブフレームで独立に閉ループ送信電力制御（アキュムレーション送信電力制御）を行なってもよい。例えば、そのサブフレームでは、他の上りリンクサブフレームまたは下りリンクサブフレームと異なるパラメータを用いて電力を制御してもよい。また、フレキシブルサブフレームと上りリンクサブフレーム／下りリンクサブフレームで、信号生成に用いられるパラメータが独立に設定されてもよい。例えば、仮想セルＩＤやスクランブルＩＤなどが独立に設定されてもよい。ここで、信号を生成するとは、信号系列を生成する、を含む。また、信号を生成するとは、信号を割り当てる無線リソースを決定する、を含む。
【０１８８】
なお、上記各実施形態において、第１の上りリンク電力制御と第２の上りリンク電力制御とで同じＲＳＲＰおよびパスロス値を適用してもよい。受信電力測定制御は２つのサブフレームサブセットに含まれる下りリンクサブフレームで共有してもよい。
【０１８９】
なお、上記各実施形態において、フレキシブルサブフレームでＰＵＳＣＨとＰＵＣＣＨの送信が生じる場合、それらの送信電力の合計が端末装置に設定される最大送信電力を超える場合、ＰＵＳＣＨの送信電力の最大値は、最大送信電力からＰＵＣＣＨの送信電力値を引いた値としてもよい。
【０１９０】
また、上記各実施形態において、基地局装置１は、上りリンクインデックスを用いて、上りリンクサブフレームと下りリンクサブフレームが衝突するサブフレームと衝突しないサブフレームで上りリンク信号を送信するように端末装置２を制御してもよい。
【０１９１】
２つのサブフレームサブセットで、アキュムレーション制御を共有してもよい。アキュムレーションは、サブフレームサブセットに因らず、共通であってもよい。
【０１９２】
２つのサブフレームサブセットで、ＲＳＲＰ測定結果を共有してもよい。ＲＳＲＰはサブフレームサブセットに因らず、共通であってもよい。
【０１９３】
また、アキュムレーション制御をサブフレームサブセットで独立に行なってもよい。固定サブフレームで受信したＴＰＣコマンドによるアキュムレーションとフレキシブルサブフレームで受信したＴＰＣコマンドによるアキュムレーションは独立に制御する。
【０１９４】
例えば、第１の設定に関する情報および第２の設定に関する情報が設定される場合には、サブフレームサブセット毎に独立にアキュムレーション送信電力制御（累積送信電力制御、閉ループ送信電力制御）を行なってもよい。
【０１９５】
アキュムレーション送信電力制御をサブフレームサブセット毎に行なう場合、それぞれのＴＰＣコマンドフィールドを含むＤＣＩフォーマットを受信するタイミングは事前に定義されてもよい。
【０１９６】
また、ＲＳＲＰ測定結果をサブフレームサブセットで独立であってもよい。固定サブフレームの下りリンクサブフレームで受信したＣＲＳによるＲＳＲＰとフレキシブルサブフレームで受信したＣＲＳによるＲＳＲＰの測定制御は独立に行なってもよい。
【０１９７】
第１の設定に関する情報および第２の設定に関する情報に基づいて２つのサブフレームサブセットが構成される場合、第２のサブフレームサブセットがフレキシブルサブフレームのサブフレームパターンであるとすると、第２の設定に関する情報は、フレキシブルサブフレームに対するＴＰＣコマンドフィールドを含むＤＣＩフォーマットを受信可能なサブフレームのパターンを指示する情報であってもよい。
【０１９８】
第１のサブフレームサブセットに含まれる上りリンクサブフレームに対して適用可能なＴＰＣコマンドが送信されるサブフレームのパターンと第２のサブフレームサブセットに含まれる上りリンクサブフレームに対して適用可能なＴＰＣコマンドが送信されるサブフレームのパターンがそれぞれ設定されてもよい。上りリンクサブフレームとその上りリンクサブフレームに対するＴＰＣコマンドを含むＤＣＩフォーマットが送信される下りリンクサブフレームの対応付け（紐付け）がテーブル管理されてもよい。
【０１９９】
なお、上記各実施形態において、第１の設定に関する情報および／または第２の設定に関する情報は、上りリンクと下りリンクの切り替え周期と各サブフレームの構成を指示する情報であってもよい。
【０２００】
なお、上記各実施形態において、上りリンク信号および／または下りリンク信号は、フレキシブルサブフレームとそれ以外のサブフレームで異なる送信電力制御を行なってもよい。
【０２０１】
なお、上記各実施形態では、端末装置２は、第１の設定に関する情報が設定される場合、第１の設定に関する情報が設定されるセル（サービングセル）に対して第１の上りリンク参照信号（例えば、Ｐ−ＳＲＳ）を送信しなくてもよい。また、上記各実施形態では、端末装置２は、第１の設定に関する情報が設定される場合、上位層によって固有の送信サブフレームが設定される上りリンク参照信号を送信しなくてもよい。
【０２０２】
なお、上記各実施形態では、種々の上りリンク信号や下りリンク信号のマッピング単位としてリソースエレメントやリソースブロックを用い、時間方向の送信単位としてシンボル、サブフレームや無線フレームを用いて説明したが、これに限るものではない。任意の周波数と時間で構成される領域および時間単位をこれらに代えて用いても、同様の効果を得ることができる。なお、上記各実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０２０３】
なお、上記各実施形態では、ＴＰＣコマンドによる累積送信電力制御または絶対送信電力制御が行なわれてもよい。
【０２０４】
なお、上記各実施形態では、上りリンク送信電力制御とは、上りリンク物理チャネル／物理信号（ＰＵＳＣＨ、ＰＵＣＣＨ、ＰＲＡＣＨ、ＳＲＳ、ＤＭＲＳなど）の送信電力制御のことであり、送信電力制御とは、種々の上りリンク物理チャネルの送信電力の設定に使用する種々のパラメータの切り替えまたは（再）設定に関する情報を含んでいる。また、下りリンク送信電力制御とは、下りリンク物理チャネル／物理信号（ＣＲＳ，ＵＥＲＳ（ＤＬ  ＤＭＲＳ），ＣＳＩ−ＲＳ，ＰＤＳＣＨ，ＰＤＣＣＨ／ＥＰＤＣＣＨ，ＰＢＣＨ，ＰＳＳ／ＳＳＳ，ＰＭＣＨ，ＰＲＳなど）の送信電力制御のことであり、送信電力制御とは、種々の下りリンク物理チャネルの送信電力の設定に使用する種々のパラメータの切り替えまたは（再）設定に関する情報を含んでいる。
【０２０５】
なお、上記各実施形態では、基地局装置は、１つの端末装置に対して複数の仮想セルＩＤを設定できるようにしてもよい。例えば、基地局装置および少なくとも１つの基地局装置を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号の設定に関する情報毎に仮想セルＩＤが設定できるようにしてもよい。また、複数の物理チャネル／物理信号で仮想セルＩＤは共有されてもよい。
【０２０６】
本発明では、上りリンク電力制御について説明してきたが、下りリンク電力制御についても同様に制御されてもよい。
【０２０７】
なお、上記各実施形態の説明では、例えば、電力をセットすることは電力の値をセットすることを含み、電力を計算することは電力の値を計算することを含み、電力を測定することは電力の値を測定することを含み、電力を報告することは電力の値を報告することを含む。このように、電力という表現は、適宜電力の値という意味も含まれる。
【０２０８】
なお、上記各実施形態の説明では、例えば、パスロスを計算することはパスロスの値を計算することを含む。このように、パスロスという表現には、適宜パスロスの値という意味も含まれる。
【０２０９】
なお、上記各実施形態の説明では、種々のパラメータを設定することは種々のパラメータの値を設定することを含む。このように、種々のパラメータという表現には、適宜種々のパラメータの値という意味も含まれる。
【０２１０】
本発明に関わる基地局装置１および端末装置２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２１１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置１および端末装置２の一部、または全部を典型的には集積回路であるＬＳＩとして実現してもよい。基地局装置１および端末装置２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０２１２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０２１３】
なお、本願発明は、上述の実施形態に限定されるものではない。本願発明の端末装置は、移動局への適用に限定されるものではなく、屋内外に設置される据え置き型または非可動型の電子機器、例えば、ＡＶ機器、キッチン機器、掃除・洗濯機器、空調機器、オフィス機器、自動販売機、その他生活機器などに適用できることは言うまでもない。また、本発明は、無線基地局装置や無線端末装置や無線通信システムや無線通信方法に用いて好適である。
【符号の説明】
【０２１４】
１  基地局装置
２  端末装置
１０１  上位層処理部
１０３  制御部
１０５  受信部
１０７  送信部
１０９  チャネル測定部
１１１  送受信アンテナ
１０５１  復号化部
１０５３  復調部
１０５５  多重分離部
１０５７  無線受信部
１０７１  符号化部
１０７３  変調部
１０７５  多重部
１０７７  無線送信部
１０７９  下りリンク参照信号生成部
２０１  上位層処理部
２０３  制御部
２０５  受信部
２０７  送信部
２０９  チャネル測定部
２１１  送受信アンテナ
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
2014163050.tif 000003
【図２】
2014163050.tif 000004
【図３】
2014163050.tif 000005
【図４】
2014163050.tif 000006
【図５】
2014163050.tif 000007
【図６】
2014163050.tif 000008
【図７】
2014163050.tif 000009
【図８】
2014163050.tif 000010
【図９】
2014163050.tif 000011
【図１０】
2014163050.tif 000012
【国際調査報告】
2014163050.tif 000013
2014163050.tif 000014